(57)【特許請求の範囲】
【請求項１】
記憶手段、再生手段及び出力手段を備え、再生用の情報記録媒体に日付情報を伴って予め記録された少なくとも画像を表す実体情報についての、前記再生手段による再生、再生後の実体情報の符号化、符号化後の実体情報を管理する実体管理情報の作成、該実体管理情報を管理する全体管理情報の作成により、前記再生用の情報記録媒体とは別の記録用の情報記録媒体のフォーマットに対応して、前記実体情報と、前記実体情報を一又は複数のタイトル毎に管理するための前記実体管理情報及び前記全体管理情報とを、前記記録用の情報記録媒体以外の前記記憶手段上に作成する際に、前記タイトル選択のためのメニュー情報を前記実体管理情報及び前記全体管理情報の一部として作成し、更に前記実体情報の内容を表す素材リスト情報を前記記憶手段上に作成する情報作成装置であって、
前記再生手段により、前記実体情報を先頭から再生させる再生制御手段と、
前記再生された実体情報を入力する実体情報入力手段と、
前記入力した実体情報から前記日付情報を読み取る日付情報読取手段と、
前記読み取った日付情報が変更される毎に当該日付情報をタイトル名とするタイトル選択のためのメニュー情報を作成し、前記記憶手段上に確保され階層構造を有するメニュー情報の記憶領域に記憶させるメニュー情報作成手段と、
前記入力した実体情報における一定時間区切り毎の先頭のフレーム画像を読み取るフレーム画像読取手段と、
前記読み取った先頭のフレーム画像を表示内容とする前記メニュー情報よりも下階層のメニュー情報を作成し、前記メニュー情報の記憶領域に記憶させる下階層メニュー情報作成手段と、
前記一定時間区切りの開始位置と終了位置を、一定時間区切り毎に読み取る時間区切り情報読取手段と、
前記読み取った先頭のフレーム画像と、当該先頭のフレーム画像に対応する前記読み取った日付情報と、当該先頭のフレーム画像に対応する前記読み取った一定時間区切りの開始位置及び終了位置とを関連付けて、素材リスト情報として前記記憶手段に記憶させる素材リスト情報作成手段と、
前記作成されたメニュー情報と前記下階層のメニュー情報とからなるメニュー構成情報を前記記憶された素材リスト情報と対応付けて前記記憶手段に記憶させるメニュー構成情報作成手段と、
前記記憶された素材リスト情報及びメニュー構成情報を前記出力手段に出力させる情報出力制御手段と、
を備えたことを特徴とする情報作成装置。
【請求項２】
請求項１記載の情報作成装置において、
前記再生に用いた情報記録媒体を識別するための識別情報を入力する識別情報入力手段を更に備え、
前記素材リスト情報作成手段は、前記入力した識別情報を更に含めて前記素材リスト情報を作成することを特徴とする情報作成装置。
【請求項３】
請求項１または２記載の情報作成装置において、
前記フレーム画像読取手段は、前記再生手段によって再生される前記実体情報が一定時間区切り毎に記録された情報である場合には、前記日付情報に含まれる再生時間情報を参照することにより、前記一定時間区切りを判別し、前記先頭のフレーム画像を読み取る手段であることを特徴とする情報作成装置。
【請求項４】
請求項１または２記載の情報作成装置において、
前記再生手段による前記実体情報の再生時間を計測する計測手段を更に備え、
前記フレーム画像読取手段は、前記計測手段により計測された再生時間を参照することにより、前記一定時間区切りを判別し、前記先頭のフレーム画像を読み取る手段であることを特徴とする情報作成装置。
【請求項５】
請求項１ないし４のいずれか１記載の情報作成装置と、
該情報作成装置により作成された各情報を、記録用の情報記録媒体のフォーマットに従った順序で出力する情報出力手段と、
を備えたことを特徴とする情報出力装置。
【請求項６】
請求項１ないし４のいずれか１記載の情報作成装置と、
該情報作成装置により作成された各情報の記憶領域を、記録用の情報記録媒体のフォーマットに従った順序で確保する記憶領域確保手段と、
前記情報作成装置により作成された各情報を、前記記憶領域の先頭から順に出力する情報出力手段と、
を備えたことを特徴とする情報出力装置。
【請求項７】
請求項５または６記載の情報出力装置により出力された前記情報を、記録用の情報記録媒体のフォーマットに従った形式に変換する変換手段と、
前記形式に変換された情報に基づいて光ビームを変調し、前記記録用の情報記録媒体上に情報の記録を行う記録制御手段と、
を備えたことを特徴とする情報記録装置。
【請求項８】
請求項２記載の情報作成装置において、
動作モードを、前記メニュー情報及び前記素材リスト情報を作成するメニュー情報及び素材リスト情報作成モード、もしくは前記実体情報及び前記実体管理情報並びに前記全体管理情報を作成する実体情報等作成モードの何れかに切り替えるモード切替手段と、
前記複数のメニュー情報の中から何れかのメニュー情報を選択するための選択情報を入力する選択情報入力手段と、
前記選択情報入力手段により入力した前記選択情報に基づいて選択されるメニュー情報内の前記日付情報と一致する日付情報を有する何れかの素材リスト情報を、前記複数の素材リスト情報の中から選択する素材リスト情報選択手段と、
前記選択した素材リスト情報から前記識別情報を読み取り、前記出力手段に出力する識別情報出力制御手段と、
前記再生手段による再生用の情報記録媒体の識別情報を読み取る識別情報読取手段と、
前記素材リスト情報から読み取った識別情報と、前記再生用の情報記録媒体から読み取った識別情報との一致を判定する判定手段と、
前記判定手段により識別情報が一致していないと判定された場合に、正しい識別情報を有する再生用の情報記録媒体を用いる旨の警告を前記出力手段に出力させる警告手段と、
前記識別情報が一致していると判定された場合には、前記素材リスト情報に基づいて、それぞれの実体情報を先頭から前記再生手段により再生させる第２再生制御手段と、
前記入力した実体情報を符号化する符号化手段と、
前記符号化した実体情報を、前記記憶手段上に確保された記憶領域に記憶させる実体情報制御手段と、
前記記憶領域に記憶させた実体情報に基づいて、前記メニュー情報を含む前記実体管理情報及び前記全体管理情報として必要な情報を作成し、前記記憶領域に記憶させる管理情報制御手段と、
前記メニュー情報及び素材リスト情報作成モード時には、前記再生制御手段、前記実体情報入力手段、前記日付情報読取手段、前記メニュー情報作成手段、前記識別情報入力手段、前記フレーム画像読取手段、前記下階層メニュー情報作成手段、前記時間区切り情報読取手段、前記素材リスト情報作成手段、前記メニュー構成情報作成手段及び情報出力制御手段にそれぞれの処理を行うように制御を行い、
前記実体情報等作成モード時には、前記再生制御手段、前記実体情報入力手段、前記日付情報読取手段、前記情報出力制御手段、前記選択情報入力手段、前記素材リスト情報選択手段、前記識別情報出力制御手段、前記識別情報読取手段、前記判定手段、前記警告手段、前記第２再生制御手段、前記符号化手段、前記実体情報制御手段及び管理情報制御手段にそれぞれの処理を行うように制御を行う処理制御手段と、
を更に備えたことを特徴とする情報作成装置。
【請求項９】
請求項８記載の情報作成装置において、
複数の前記再生手段と、複数の再生手段の切替手段とを更に備え、
前記素材リスト情報選択手段は、前記入力した前記選択情報に基づいて選択されるメニュー情報内の前記日付情報と一致する日付情報を有する何れかの複数の素材リスト情報を、前記複数の素材リスト情報の中から選択し、
前記識別情報出力制御手段は、前記選択した複数の素材リスト情報から複数の前記識別情報を読み取り、前記出力手段に出力し、
前記第２再生制御手段は、前記識別情報が一致している場合には、前記素材リスト情報に基づいて、それぞれの実体情報を先頭から前記再生手段により再生させると共に、一の情報記録媒体についての再生が終了した場合には、再生を行わせる前記再生手段を前記切替手段により切り替え、切り替えた前記再生手段により、残りの前記素材リスト情報に基づいてそれぞれの実体情報を先頭から順次再生させることを特徴とする情報作成装置。
【請求項１０】
請求項１ないし４のいずれか１記載の情報作成装置において、
前記日付情報の区切り位置に基づいて、前記日付情報毎の各実体情報の開始位置と終了位置とを検出する検出手段と、
検出した前記開始位置と終了位置を順次前記記憶手段に記憶させる区切り情報制御手段と、
記憶させた全ての前記開始位置と終了位置に基づいて、前記実体情報の前記先頭から末尾までの総再生時間を算出する総再生時間算出手段と、
符号化速度の設定を行う符号化速度設定手段と、
前記記録用の情報記録媒体における前記実体情報の記録可能領域の総容量を入力する総容量入力手段と、
前記記録可能領域の総容量を、前記設定された符号化速度で除算することにより、前記総容量を総記録可能時間に換算する換算手段と、
前記総再生時間が前記総記録可能時間よりも長い場合には、その差分の２分の１の値を更に前記日付情報毎の実体情報の総数で除算した値を、また前記総再生時間が前記総記録可能時間よりも短い場合は、ゼロの値を、カット時間として算出するカット時間算出手段と、
前記日付情報毎の実体情報の前記開始位置から前記カット時間分後の位置を符号化開始位置とし、当該実体情報の前記終了位置から前記カット時間分前の位置を符号化終了位置とする符号化位置設定手段と、
前記日付情報毎の前記実体情報を、前記符号化開始位置から前記符号化終了位置までにおいて符号化する符号化手段と、
前記符号化した実体情報を前記日付情報毎に管理する管理情報を作成する管理情報作成手段と、
前記再生用の情報記録媒体とは別の記録用の情報記録媒体のフォーマットに対応して前記実体情報と前記管理情報を、前記記憶手段上に記憶させる情報制御手段と、
を備えたことを特徴とする情報作成装置。
【請求項１１】
請求項１０記載の情報作成装置において、
前記符号化開始位置から所定のフレーム期間、及び前記符号化終了位置までの所定のフレーム期間において、ゲート信号を発生させるゲート信号発生手段と、
前記ゲート信号の発生期間において、フレーム同期信号に同期してマーカー信号を発生させるマーカー信号発生手段と、
前記実体情報内のフレーム画像に、前記マーカー信号を重畳するマーカー信号重畳手段とを更に備え、
前記第２符号化手段は、これらの各手段により前記マーカー信号が重畳されたフレーム画像に対する符号化を行うことを特徴とする情報作成装置。
【請求項１２】
請求項１ないし４のいずれか１記載の情報作成装置において、
符号化速度の初期値を入力する符号化速度値入力手段と、
前記記録用の情報記録媒体における前記実体情報の記録可能領域の総容量を入力する総容量入力手段と、
前記入力した実体情報からタイムコード情報を読み取るタイムコード情報読取手段と、
前記タイムコード情報の区切り位置に基づいて、当該区切り毎の各実体情報の開始位置と終了位置とを検出する検出手段と、
検出した前記開始位置と終了位置を補助記憶手段に順次記憶させる区切り情報制御手段と、
前記入力した実体情報を、前記開始位置と終了位置の検出と並行して、前記符号化速度の初期値に基づいて符号化する符号化手段と、
前記符号化された実体情報のうち、前記開始位置における開始フレーム画像と、前記終了位置における終了フレーム画像を読み取る第２フレーム画像読取手段と、
前記開始フレーム画像と終了フレーム画像とを、前記開始位置及び終了位置に対応させて補助記憶手段に記憶させるフレーム画像制御手段と、
前記実体情報の全情報についての前記再生の終了後に、記憶した全ての前記開始位置と終了位置と、前記符号化速度の初期値とに基づいて、前記実体情報の前記先頭から末尾までの総再生時間を総再生容量に換算する換算手段と、
前記記録可能領域の総容量と、前記総再生容量の差分を算出する差分算出手段と、
前記記憶手段に記憶させた前記開始フレーム画像と前記終了フレーム画像を復号する復号手段と、
前記開始位置、前記終了位置、前記復号した開始フレーム画像、前記復号した終了フレーム画像、前記符号化速度の初期値、及び前記差分を、前記開始位置から終了位置まで再生時間によって区切られる各実体情報毎に前記出力手段に出力させる出力制御手段と、
前記総再生容量が前記総容量以下となる前記差分が得られるまで、前記符号化手段による最終的な符号化を禁止する符号化制御手段とを更に備え、
前記符号化速度値入力手段による前記符号化速度の初期値に対する変更値の入力の度に、前記再生制御手段が、変更に係る実体情報を、前記開始位置から終了位置まで、前記再生手段により再度再生し、前記符号化制御手段が、前記再度の再生が行われた実体情報を前記符号化手段により再度の符号化を行わせて符号化後の実体情報を前記記憶手段に記憶させ、前記再度の符号化が行われた実体情報のうち、前記開始位置における開始フレーム画像と、前記終了位置における終了フレーム画像は前記第２フレーム画像読取手段により再度読み取られて、前記開始位置及び終了位置に対応させて前記フレーム画像制御手段により前回読み取った各画像に置き換えられて補助記憶手段に記憶され、
更に前記変更値の入力の度に、前記実体情報の前記先頭から末尾までの総再生時間が前記符号化速度の変更値に基づいて前記換算手段により総再生容量が再度換算されて、前記差分算出手段により前記総容量との差分が再算出され、前記表示制御手段が当該差分を前記出力手段に再表示させ、
また更に、前記総再生容量が前記総容量以下となる前記差分が得られた後に、前記記憶手段に記憶された符号化後の実体情報についての管理情報を作成する管理情報作成手段と、
前記再生用の情報記録媒体とは別の記録用の情報記録媒体のフォーマットに対応して前記実体情報と前記管理情報を、前記記憶手段上に記憶させる情報制御手段とを備えたこと、
を特徴とする情報作成装置。
【請求項１３】
請求項１ないし４のいずれか１記載の情報作成装置において、
前記記録用の情報記録媒体における前記実体情報の記録可能領域の総容量を入力する総容量入力手段と、
前記総容量と予め定められた符号化速度値とに基づいて前記記録用の情報記録媒体における前記実体情報の総記録可能時間を算出する総記録可能時間算出手段と、
前記入力した実体情報を符号化する第２符号化手段と、
前記符号化した実体情報を前記記憶手段に記憶させる実体情報制御手段と、
前記入力した実体情報からタイムコード情報を読み取るタイムコード情報読取手段と、
前記タイムコード情報に基づいて、前記先頭から末尾までの前記実体情報の総再生時間を算出する総再生時間算出手段と、
前記記録用の情報記録媒体における総記録可能時間と、前記総再生時間との比較を行う時間比較手段と、
前記総再生時間が前記総記録可能時間以内と判定された場合には、前記記憶手段に記憶された符号化後の実体情報についての管理情報を作成し、前記再生用の情報記録媒体とは別の記録用の情報記録媒体のフォーマットに対応して前記実体情報と前記管理情報を、前記記憶手段上に記憶させる情報制御手段と、
前記符号化の工程において、各フレーム画像毎に、動き変化を検出する動き変化検出手段と、
前記検出した動き変化値と、予め定められた閾値とを比較する変化値比較手段と、
前記検出した動き変化値が前記閾値よりも小さいと前記変化値比較手段により判定された時点における、前記タイムコード情報を非変化区間の開始位置とし、当該時点のフレーム画像を非変化区間の開始画像とし、前記時点以降に、検出した動き変化値が前記閾値よりも大きいと前記変化値比較手段により判定された時点における、前記タイムコード情報を非変化区間の終了位置とし、当該時点のフレーム画像を非変化区間の終了画像として非変化区間情報を作成する非変化区間情報作成手段と、
前記非変化区間情報を前記出力手段に出力させる出力制御手段と、
前記時間比較手段により、前記総再生時間が前記総記録可能時間を超えたと判定された場合には、前記総再生時間が前記総記録可能時間以内と判定されるまで、前記非変化区間情報の中からいずれか一の非変化区間情報を選択する非変化区間情報選択手段と、
前記選択した一の非変化区間情報における前記開始位置から終了位置までの非変化区間の時間を算出する非変化時間算出手段とを更に備え、
前記総再生時間算出手段により前記総再生時間から非変化区間の時間を減算して、前記総再生時間を再算出した結果、前記時間比較手段により前記総再生時間が前記総記録可能時間以内と判定された後に、前記再生制御手段が、前記選択した非変化区間情報に基づく前記非変化区間を除いて、前記再生手段により再度前記実体情報を先頭から末尾まで再生させ、当該再生された実体情報が前記実体情報入力手段により入力されて、前記符号化手段により再度符号化された後に、既に前記記憶手段に記憶されている実体情報と置き換えられて前記実体情報制御手段により記憶され、
前記情報制御手段が、前記管理情報を作成して前記実体情報と当該管理情報を、前記記憶手段上に記憶させることを特徴とする情報作成装置。
【請求項１４】
請求項１ないし４のいずれか１記載の情報作成装置において、
前記記録用の情報記録媒体における前記実体情報の記録可能領域の総容量を入力する総容量入力手段と、
前記総容量と予め定められた符号化速度値とに基づいて前記記録用の情報記録媒体における前記実体情報の総記録可能時間を算出する総記録時間算出手段と、
前記入力した実体情報からタイムコード情報を読み取るタイムコード情報読取手段と、
前記入力した実体情報の中から音情報を検出する音情報検出手段と、
前記検出した音情報のレベルと閾値とを比較する音情報レベル比較手段と、
前記音情報レベル比較手段により前記音情報のレベルが前記閾値よりも大きいと判定された場合には、識別情報をセットすると共に、前記音情報のレベルが、前記閾値よりも大きいと判定された後に、前記閾値よりも小さいと判定された場合には、識別情報をリセットする識別情報設定手段と、
当該識別情報のセット時点における前記タイムコード情報を、変化開始位置として補助記憶手段に記憶させると共に、当該識別情報のリセット時点における前記タイムコード情報を、変化終了位置として補助記憶手段に記憶させるタイムコード情報制御手段と、
前記実体情報の先頭から末尾までの再生が終了した後に、前記変化開始位置から前記変化終了位置までの音声区間の時間を算出する音声区間の時間算出手段と、
前記総記録可能時間と前記音声区間の時間とを比較する音声区間比較手段と、
前記音声区間比較手段により前記音声区間が前記総記録可能時間よりも長いと判定された場合には、前記音声区間が前記総記録可能時間以内と判定されるまで、前記閾値をステップ状に増加させる閾値制御手段とを備え、
前記再生制御手段、前記実体情報入力手段、前記符号化手段、前記タイムコード情報読取手段、前記音情報検出手段、前記音情報レベル比較手段、識別情報設定手段、タイムコード情報制御手段、時間算出手段、及び音声区間比較手段は、前記閾値が増加する毎にそれぞれの処理を再度行い、
前記再生制御手段、実体情報入力手段、及び符号化手段は、前記音声区間が前記総記録可能時間以内と判定された後は、前記実体情報を当該音声区間においてそれぞれの処理を行い、
更に、前記符号化した実体情報を前記記憶手段に記憶させる実体情報制御手段と、
前記記憶手段に記憶された符号化後の実体情報についての管理情報を作成する管理情報作成手段と、
前記再生用の情報記録媒体とは別の記録用の情報記録媒体のフォーマットに対応して前記実体情報と前記管理情報を、前記記憶手段上に記憶させる記録情報制御手段とを備えたこと、
を特徴とする情報作成装置。
【請求項１５】
請求項７記載の情報記録装置において、
当該情報記録装置よる情報記録処理中に前記出力手段に出力させたメニュー情報から、修正対象の実体情報を選択する修正対象選択手段と、
前記情報記録処理により記録用の情報記録媒体に記録した情報のうち、メニュー情報を含む実体管理情報及び全体管理情報を、前記記録用の情報記録媒体から読み取る管理情報読取手段と、
前記情報記録処理により記録用の情報記録媒体に記録した情報のうち、前記修正対象以外の実体情報を、前記記録用の情報記録媒体から読み取る実体情報読取手段と、
前記修正対象の実体情報を、再生用の情報記録媒体から読み取る修正対象情報読取手段と、
前記各手段により読み取った前記実体情報、実体管理情報、及び全体管理情報を再結合させる再結合手段と、
前記再結合させた各情報を用いて、前記情報記録処理により新たな記録用の情報記録媒体に新たな記録を行う再記録制御手段と、
を更に備えたことを特徴とする情報記録装置。
【請求項１６】
請求項７記載の情報記録装置において、
当該情報記録装置よる情報記録処理中に、前記表示手段に表示させたメニュー情報から、修正対象の実体情報を選択する修正対象選択手段と、
前記情報記録処理中に前記記憶手段に記憶させた情報のうち、メニュー情報を含む実体管理情報及び全体管理情報を、前記記憶手段から読み取る管理情報読取手段と、
前記情報記録処理中に前記記憶手段に記憶させた情報のうち、前記修正対象以外の実体情報を、前記記憶手段から読み取る実体情報読取手段と、
前記修正対象の実体情報を、前記記憶手段から読み取る修正対象情報読取手段と、
前記各手段により読み取った前記実体情報、実体管理情報、及び全体管理情報を再結合させる再結合手段と、
前記再結合させた各情報を用いて、前記情報記録処理により新たな記録用の情報記録媒体に新たな記録を行う再記録制御手段と、
を更に備えたことを特徴とする情報記録装置。
【請求項１７】
請求項８または９記載の情報作成装置において、
当該情報作成装置による情報作成処理中に、前記表示手段に表示させたメニュー情報から、修正対象の実体情報を選択する修正対象選択手段と、
前記情報作成処理中に前記記憶手段に記憶させた情報のうち、メニュー情報を含む実体管理情報及び全体管理情報を、前記記憶手段から読み取る管理情報読取手段と、
前記情報作成処理中に前記記憶手段に記憶させた情報のうち、前記修正対象以外の実体情報を、前記記憶手段から読み取る実体情報読取手段と、
前記修正対象の実体情報を、再生用の情報記録媒体から読み取る修正対象情報読取手段と、
前記各手段により読み取った前記実体情報、実体管理情報、及び全体管理情報を再結合させる再結合手段と、
を更に備えたことを特徴とする情報作成装置。
【請求項１８】
請求項８または９記載の情報作成装置において、
当該情報作成装置による情報作成処理中に、前記表示手段に表示させたメニュー情報から、修正対象の実体情報を選択する修正対象選択手段と、
前記情報作成処理中に前記記憶手段に記憶させた情報のうち、メニュー情報を含む実体管理情報及び全体管理情報を、前記記憶手段から読み取る管理情報読取手段と、
前記情報作成処理中に前記記憶手段に記憶させた情報のうち、前記修正対象以外の実体情報を、前記記憶手段から読み取る実体情報読取手段と、
前記修正対象の実体情報を、前記記憶手段から読み取る修正対象情報読取手段と、
前記各手段により読み取った前記実体情報、実体管理情報、及び全体管理情報を再結合させる再結合手段と、
を更に備えたことを特徴とする情報作成装置。
【請求項１９】
再生用の情報記録媒体に日付情報を伴って予め記録された少なくとも画像を表す実体情報についての、該情報記録媒体の再生手段による再生、再生後の実体情報の符号化、符号化後の実体情報を管理する実体管理情報の作成、該実体管理情報を管理する全体管理情報の作成により、前記再生用の情報記録媒体とは別の記録用の情報記録媒体のフォーマットに対応して、前記実体情報と、前記実体情報を一又は複数のタイトル毎に管理するための前記実体管理情報及び前記全体管理情報とを、前記記録用の情報記録媒体以外の前記記憶手段上に作成する際に、前記タイトル選択のためのメニュー情報を前記実体管理情報及び前記全体管理情報の一部として作成し、更に前記実体情報の内容を表す素材リスト情報を前記記憶手段上に作成する情報作成方法であって、
前記再生手段により、前記実体情報を先頭から再生させる工程と、
前記再生された実体情報を入力する工程と、
前記入力した実体情報から前記日付情報を読み取る工程と、
前記読み取った日付情報が変更される毎に当該日付情報をタイトル名とするタイトル選択のためのメニュー情報を作成し、前記記憶手段上に確保され階層構造を有するメニュー情報の記憶領域に記憶させる工程と、
前記入力した実体情報における一定時間区切り毎の先頭のフレーム画像を読み取る工程と、
前記読み取った先頭のフレーム画像を表示内容とする前記メニュー情報よりも下階層のメニュー情報を作成し、前記メニュー情報の記憶領域に記憶させる工程と、
前記一定時間区切りの開始位置と終了位置を、一定時間区切り毎に読み取る工程と、
前記読み取った先頭のフレーム画像と、当該先頭のフレーム画像に対応する前記読み取った日付情報と、当該先頭のフレーム画像に対応する前記読み取られた一定時間区切りの開始位置及び終了位置とを関連付けて、素材リスト情報として前記記憶手段に記憶させる工程と、
前記作成されたメニュー情報と前記下階層のメニュー情報とからなるメニュー構成情報を前記記憶された素材リスト情報と対応付けて前記記憶手段に記憶させる工程と、
前記記憶された素材リスト情報及びメニュー構成情報を出力手段に出力させる工程と、
を備えたことを特徴とする情報作成方法。
【請求項２０】
コンピュータに、再生用の情報記録媒体に日付情報を伴って予め記録された少なくとも画像を表す実体情報についての、該情報記録媒体の再生手段による再生、再生後の実体情報の符号化、符号化後の実体情報を管理する実体管理情報の作成、該実体管理情報を管理する全体管理情報の作成により、前記再生用の情報記録媒体とは別の記録用の情報記録媒体のフォーマットに対応して、前記実体情報と、前記実体情報を一又は複数のタイトル毎に管理するための前記実体管理情報及び前記全体管理情報とを、コンピュータの前記記憶手段上に作成する際に、前記タイトル選択のためのメニュー情報を前記実体管理情報及び前記全体管理情報の一部として作成し、更に前記実体情報の内容を表す素材リスト情報を前記記憶手段上に作成させる情報作成用プログラムが記録されたコンピュータ読み取り可能な情報記録媒体であって、
前記コンピュータに、
前記再生手段により、前記実体情報を先頭から再生させる工程と、
前記再生された実体情報を入力する工程と、
前記入力した実体情報から前記日付情報を読み取る工程と、
前記読み取った日付情報が変更される毎に当該日付情報をタイトル名とするタイトル選択のためのメニュー情報を作成し、前記記憶手段上に確保され階層構造を有するメニュー情報の記憶領域に記憶させる工程と、
前記入力した実体情報における一定時間区切り毎の先頭のフレーム画像を読み取る工程と、
前記読み取った先頭のフレーム画像を表示内容とする前記メニュー情報よりも下階層のメニュー情報を作成し、前記メニュー情報の記憶領域に記憶させる工程と、
前記一定時間区切りの開始位置と終了位置を、一定時間区切り毎に読み取る工程と、
前記読み取った先頭のフレーム画像と、当該先頭のフレーム画像に対応する前記読み取った日付情報と、当該先頭のフレーム画像に対応する前記読み取られた一定時間区切りの開始位置及び終了位置とを関連付けて、素材リスト情報として前記記憶手段に記憶させる工程と、
前記作成されたメニュー情報と前記下階層のメニュー情報とからなるメニュー構成情報を前記記憶された素材リスト情報と対応付けて前記記憶手段に記憶させる工程と、
前記記憶された素材リスト情報及びメニュー構成情報を出力手段に出力させる工程と、
を実行させる情報作成用プログラムを記録したことを特徴とする情報記録媒体。
【発明の詳細な説明】
【０００１】
【発明の属する技術分野】
本発明は、動画情報、及び動画情報に伴う音声または音楽等の音情報、並びに字幕等の副映像情報を、システムストリームとして記録可能なマルチメディア光ディスク等の情報記録媒体、及びこの情報記録媒体に記録するための情報を作成するための方法及び装置、並びに前記情報記録媒体の作成方法及び装置、並びにそれらの方法をコンピュータに実行させるためのプログラムを記録した情報記録媒体の技術分野に属するものである。
【０００２】
【従来の技術】
従来のＤＶＤ等のマルチメディア光ディスクに対する、静止画像、動画像、あるいは音声等の記録方式としては、特開平１０−１９９２１５号公報、あるいは特開平１０−１０８１３５号公報等に開示されている方式が挙げられる。この記録方式は、まず、これらの記録用のデータをＭＰＥＧ（ＭｏｖｉｎｇＰｉｃｔｕｒｅＥｘｐｅｒｔｓ Ｇｒｏｕｐ）等の規格に定められた方式に基づいてデジタル符号化し、次に、このように符号化したデータをＤＶＤ等のマルチメディア光ディスクの規格で定められた論理フォーマットに従って多重化し、システムストリームと呼ばれるデータ群を作成する。そして、このシステムストリームを管理するためのシステムストリーム管理情報を、当該論理フォーマットに従って作成し、更にこのシステムストリーム管理情報を含めディスク全体を管理するための全体管理情報を当該論理フォーマットに従って作成し、前記システムストリーム、システムストリーム管理情報、及び全体管理情報を記録するという方式である。
【０００３】
ＤＶＤ等のマルチメディア光ディスクは、非常に多くの情報を記録することができるので、以上のような記録方式を用いることにより、例えば家庭等で撮影した何本ものビデオテープを、１枚のマルチメディア光ディスクにまとめることができる。また、マルチメディア光ディスクは、このように多くの情報を記録した場合でも、前記管理情報により、瞬時に所望の再生箇所を検出することができ、画像や音の記録媒体として優れた利点を有している。
【０００４】
【発明が解決しようとする課題】
しかしながら、前記従来の記録方式によれば、まず光ディスクの制作者がオーサリング装置を操作して、シナリオ情報を作成する必要があるが、このシナリオ情報の作成は、光ディスクの論理フォーマット等の専門的な知識を必要とする作業であり、また、入力項目も多岐に亘るため、非常に煩雑な作業であった。
【０００５】
また、記録しようとする映像素材をデジタル化する作業においても、映像素材の長さが、シナリオ情報で設定した再生時間と一致するように、映像素材側での位置合わせ又は再生時間の調整作業等を光ディスクの制作者が手作業で行う必要であり、非常に煩雑な作業を必要としていた。更に、映像素材が非常に多くのビデオテープに記録されている場合には、これらの多くのビデオテープの中から必要な映像素材を探し出すことは非常に困難な作業であった。
【０００６】
また、前記映像素材の取り込み及びデジタル化処理と、前記シナリオ情報の作成処理とを別々に行い、それぞれの処理が終了した後に、両者をつなぎ合わせる場合には、映像素材の総容量が、光ディスクの記録許容容量を超えてしまうことがあり、その度に手作業で調整処理を行う必要があった。
【０００７】
更に、一旦前記映像素材を光ディスクに書き込んだ後に、特定の箇所について修正を行う必要が生じても、当該箇所が、光ディスクのどの位置に記録されているかを解明することは非常に困難な作業であり、殆どの場合、新たなに最初から光ディスクを作成し直さなければならなかった。
【０００８】
そこで、本発明は、前記問題点を解決し、光ディスクの作成処理、または修正処理を容易且つ効率的に行うことのできる情報作成装置及び方法、情報作成プログラムが記録された情報記録媒体、情報出力装置、並びに情報記録装置を提供することを課題としている。
【０００９】
【課題を解決するための手段】
（手段）
【００１０】
【００１１】
【００１２】
【００１３】
【００１４】
【００１５】
【００１６】
【００１７】
【００１８】
【００１９】
請求項１記載の情報作成装置は、前記課題を解決するために、記憶手段、再生手段及び出力手段を備え、再生用の情報記録媒体に日付情報を伴って予め記録された少なくとも画像を表す実体情報についての、前記再生手段による再生、再生後の実体情報の符号化、符号化後の実体情報を管理する実体管理情報の作成、該実体管理情報を管理する全体管理情報の作成により、前記再生用の情報記録媒体とは別の記録用の情報記録媒体のフォーマットに対応して、前記実体情報と、前記実体情報を一又は複数のタイトル毎に管理するための前記実体管理情報及び前記全体管理情報とを、前記記録用の情報記録媒体以外の前記記憶手段上に作成する際に、前記タイトル選択のためのメニュー情報を前記実体管理情報及び前記全体管理情報の一部として作成し、更に前記実体情報の内容を表す素材リスト情報を前記記憶手段上に作成する情報作成装置であって、前記再生手段により、前記実体情報を先頭から再生させる再生制御手段と、前記再生された実体情報を入力する実体情報入力手段と、前記入力した実体情報から前記日付情報を読み取る日付情報読取手段と、前記読み取った日付情報が変更される毎に当該日付情報をタイトル名とするタイトル選択のためのメニュー情報を作成し、前記記憶手段上に確保され階層構造を有するメニュー情報の記憶領域に記憶させるメニュー情報作成手段と、前記入力した実体情報における一定時間区切り毎の先頭のフレーム画像を読み取るフレーム画像読取手段と、前記読み取った先頭のフレーム画像を表示内容とする前記メニュー情報よりも下階層のメニュー情報を作成し、前記メニュー情報の記憶領域に記憶させる下階層メニュー情報作成手段と、前記一定時間区切りの開始位置と終了位置を、一定時間区切り毎に読み取る時間区切り情報読取手段と、前記読み取った先頭のフレーム画像と、当該先頭のフレーム画像に対応する前記読み取った日付情報と、当該先頭のフレーム画像に対応する前記読み取った一定時間区切りの開始位置及び終了位置とを関連付けて、素材リスト情報として前記記憶手段に記憶させる素材リスト情報作成手段と、前記作成されたメニュー情報と前記下階層のメニュー情報とからなるメニュー構成情報を前記記憶された素材リスト情報と対応付けて前記記憶手段に記憶させるメニュー構成情報作成手段と、前記記憶された素材リスト情報及びメニュー構成情報を前記出力手段に出力させる情報出力制御手段と、を備えたことを特徴とする。
請求項２記載の情報作成方法は、前記課題を解決するために、請求項１記載の情報作成装置において、前記再生に用いた情報記録媒体を識別するための識別情報を入力する識別情報入力手段を更に備え、前記素材リスト情報作成手段は、前記入力した識別情報を更に含めて前記素材リスト情報を作成することを特徴とする。
【００２０】
請求項３記載の情報作成装置は、前記課題を解決するために、請求項１または２記載の情報作成装置において、前記フレーム画像読取手段は、前記再生手段によって再生される前記実体情報が一定時間区切り毎に記録された情報である場合には、前記日付情報に含まれる再生時間情報を参照することにより、前記一定時間区切りを判別し、前記先頭のフレーム画像を読み取る手段であることを特徴とする。
【００２１】
請求項４記載の情報作成装置は、前記課題を解決するために、請求項１または２記載の情報作成装置において、前記再生手段による前記実体情報の再生時間を計測する計測手段を更に備え、前記フレーム画像読取手段は、前記計測手段により計測された再生時間を参照することにより、前記一定時間区切りを判別し、前記先頭のフレーム画像を読み取る手段であることを特徴とする。
【００２２】
【００２３】
【００２４】
【００２５】
請求項５記載の情報作成装置は、前記課題を解決するために、請求項１ないし４のいずれか１記載の情報作成装置と、該情報作成装置により作成された各情報を、記録用の情報記録媒体のフォーマットに従った順序で出力する情報出力手段と、を備えたことを特徴とする。
【００２６】
請求項６記載の情報記録装置は、前記課題を解決するために、請求項１ないし４のいずれか１記載の情報作成装置と、該情報作成装置により作成された各情報の記憶領域を、記録用の情報記録媒体のフォーマットに従った順序で確保する記憶領域確保手段と、前記情報作成装置により作成された各情報を、前記記憶領域の先頭から順に出力する情報出力手段と、を備えたことを特徴とする。
【００２７】
請求項７記載の情報記録装置は、前記課題を解決するために、請求項５または６記載の情報出力装置により出力された前記情報を、記録用の情報記録媒体のフォーマットに従った形式に変換する変換手段と、前記形式に変換された情報に基づいて光ビームを変調し、前記記録用の情報記録媒体上に情報の記録を行う記録制御手段と、を備えたことを特徴とする。
【００２８】
【００２９】
【００３０】
【００３１】
【００３２】
【００３３】
【００３４】
【００３５】
【００３６】
【００３７】
【００３８】
【００３９】
【００４０】
【００４１】
【００４２】
【００４３】
【００４４】
請求項８記載の情報作成装置は、前記課題を解決するために、請求項２記載の情報作成装置において、動作モードを、前記メニュー情報及び前記素材リスト情報を作成するメニュー情報及び素材リスト情報作成モード、もしくは前記実体情報及び前記実体管理情報並びに前記全体管理情報を作成する実体情報等作成モードの何れかに切り替えるモード切替手段と、前記複数のメニュー情報の中から何れかのメニュー情報を選択するための選択情報を入力する選択情報入力手段と、前記選択情報入力手段により入力した前記選択情報に基づいて選択されるメニュー情報内の前記日付情報と一致する日付情報を有する何れかの素材リスト情報を、前記複数の素材リスト情報の中から選択する素材リスト情報選択手段と、前記選択した素材リスト情報から前記識別情報を読み取り、前記出力手段に出力する識別情報出力制御手段と、前記再生手段による再生用の情報記録媒体の識別情報を読み取る識別情報読取手段と、前記素材リスト情報から読み取った識別情報と、前記再生用の情報記録媒体から読み取った識別情報との一致を判定する判定手段と、前記判定手段により識別情報が一致していないと判定された場合に、正しい識別情報を有する再生用の情報記録媒体を用いる旨の警告を前記出力手段に出力させる警告手段と、前記識別情報が一致していると判定された場合には、前記素材リスト情報に基づいて、それぞれの実体情報を先頭から前記再生手段により再生させる第２再生制御手段と、前記入力した実体情報を符号化する符号化手段と、前記符号化した実体情報を、前記記憶手段上に確保された記憶領域に記憶させる実体情報制御手段と、前記記憶領域に記憶させた実体情報に基づいて、前記メニュー情報を含む前記実体管理情報及び前記全体管理情報として必要な情報を作成し、前記記憶領域に記憶させる管理情報制御手段と、前記メニュー情報及び素材リスト情報作成モード時には、前記再生制御手段、前記実体情報入力手段、前記日付情報読取手段、前記メニュー情報作成手段、前記識別情報入力手段、前記フレーム画像読取手段、前記下階層メニュー情報作成手段、前記時間区切り情報読取手段、前記素材リスト情報作成手段、前記メニュー構成情報作成手段及び情報出力制御手段にそれぞれの処理を行うように制御を行い、前記実体情報等作成モード時には、前記情報出力制御手段、前記選択情報入力手段、前記素材リスト情報選択手段、前記識別情報出力制御手段、前記識別情報読取手段、前記判定手段、前記警告手段、前記第２再生制御手段、前記符号化手段、前記実体情報制御手段及び管理情報制御手段にそれぞれの処理を行うように制御を行う処理制御手段と、を更に備えたことを特徴とする。
【００４５】
請求項９記載の情報作成装置は、前記課題を解決するために、請求項８記載の情報作成装置において、複数の前記再生手段と、複数の再生手段の切替手段とを更に備え、前記素材リスト情報選択手段は、前記入力した前記選択情報に基づいて選択されるメニュー情報内の前記日付情報と一致する日付情報を有する何れかの複数の素材リスト情報を、前記複数の素材リスト情報の中から選択し、前記識別情報出力制御手段は、前記選択した複数の素材リスト情報から複数の前記識別情報を読み取り、前記出力手段に出力し、前記第２再生制御手段は、前記識別情報が一致している場合には、前記素材リスト情報に基づいて、それぞれの実体情報を先頭から前記再生手段により再生させると共に、一の情報記録媒体についての再生が終了した場合には、再生を行わせる前記再生手段を前記切替手段により切り替え、切り替えた前記再生手段により、残りの前記素材リスト情報に基づいてそれぞれの実体情報を先頭から順次再生させることを特徴とする。
【００４６】
【００４７】
【００４８】
【００４９】
【００５０】
【００５１】
【００５２】
【００５３】
【００５４】
【００５５】
【００５６】
【００５７】
【００５８】
【００５９】
【００６０】
【００６１】
【００６２】
【００６３】
【００６４】
【００６５】
【００６６】
請求項１０記載の情報作成方法は、前記課題を解決するために、請求項１ないし４のいずれか１記載の情報作成装置において、前記日付情報の区切り位置に基づいて、前記日付情報毎の各実体情報の開始位置と終了位置とを検出する検出手段と、検出した前記開始位置と終了位置を順次前記記憶手段に記憶させる区切り情報制御手段と、記憶させた全ての前記開始位置と終了位置に基づいて、前記実体情報の前記先頭から末尾までの総再生時間を算出する総再生時間算出手段と、符号化速度の設定を行う符号化速度設定手段と、前記記録用の情報記録媒体における前記実体情報の記録可能領域の総容量を入力する総容量入力手段と、前記記録可能領域の総容量を、前記設定された符号化速度で除算することにより、前記総容量を総記録可能時間に換算する換算手段と、前記総再生時間が前記総記録可能時間よりも長い場合には、その差分の２分の１の値を更に前記日付情報毎の実体情報の総数で除算した値を、また前記総再生時間が前記総記録可能時間よりも短い場合は、ゼロの値を、カット時間として算出するカット時間算出手段と、前記日付情報毎の実体情報の前記開始位置から前記カット時間分後の位置を符号化開始位置とし、当該実体情報の前記終了位置から前記カット時間分前の位置を符号化終了位置とする符号化位置設定手段と、前記日付情報毎の前記実体情報を、前記符号化開始位置から前記符号化終了位置までにおいて符号化する符号化手段と、前記符号化した実体情報を前記日付情報毎に管理する管理情報を作成する管理情報作成手段と、前記再生用の情報記録媒体とは別の記録用の情報記録媒体のフォーマットに対応して前記実体情報と前記管理情報を、前記記憶手段上に記憶させる情報制御手段と、を備えたことを特徴とする。
【００６７】
請求項１１記載の情報作成方法は、前記課題を解決するために、請求項１０記載の情報作成装置において、前記符号化開始位置から所定のフレーム期間、及び前記符号化終了位置までの所定のフレーム期間において、ゲート信号を発生させるゲート信号発生手段と、前記ゲート信号の発生期間において、フレーム同期信号に同期してマーカー信号を発生させるマーカー信号発生手段と、前記実体情報内のフレーム画像に、前記マーカー信号を重畳するマーカー信号重畳手段とを更に備え、前記第２符号化手段は、これらの各手段により前記マーカー信号が重畳されたフレーム画像に対する符号化を行うことを特徴とする。
【００６８】
【００６９】
請求項１２記載の情報作成装置は、前記課題を解決するために、請求項１ないし４のいずれか１記載の情報作成装置において、符号化速度の初期値を入力する符号化速度値入力手段と、前記記録用の情報記録媒体における前記実体情報の記録可能領域の総容量を入力する総容量入力手段と、前記入力した実体情報からタイムコード情報を読み取るタイムコード情報読取手段と、前記タイムコード情報の区切り位置に基づいて、当該区切り毎の各実体情報の開始位置と終了位置とを検出する検出手段と、検出した前記開始位置と終了位置を補助記憶手段に順次記憶させる区切り情報制御手段と、前記入力した実体情報を、前記開始位置と終了位置の検出と並行して、前記符号化速度の初期値に基づいて符号化する符号化手段と、前記符号化された実体情報のうち、前記開始位置における開始フレーム画像と、前記終了位置における終了フレーム画像を読み取る第２フレーム画像読取手段と、前記開始フレーム画像と終了フレーム画像とを、前記開始位置及び終了位置に対応させて補助記憶手段に記憶させるフレーム画像制御手段と、前記実体情報の全情報についての前記再生の終了後に、記憶した全ての前記開始位置と終了位置と、前記符号化速度の初期値とに基づいて、前記実体情報の前記先頭から末尾までの総再生時間を総再生容量に換算する換算手段と、前記記録可能領域の総容量と、前記総再生容量の差分を算出する差分算出手段と、前記記憶手段に記憶させた前記開始フレーム画像と前記終了フレーム画像を復号する復号手段と、前記開始位置、前記終了位置、前記復号した開始フレーム画像、前記復号した終了フレーム画像、前記符号化速度の初期値、及び前記差分を、前記開始位置から終了位置まで再生時間によって区切られる各実体情報毎に前記出力手段に出力させる出力制御手段と、前記総再生容量が前記総容量以下となる前記差分が得られるまで、前記符号化手段による最終的な符号化を禁止する符号化制御手段とを更に備え、前記符号化速度値入力手段による前記符号化速度の初期値に対する変更値の入力の度に、前記再生制御手段が、変更に係る実体情報を、前記開始位置から終了位置まで、前記再生手段により再度再生し、前記符号化制御手段が、前記再度の再生が行われた実体情報を前記符号化手段により再度の符号化を行わせて符号化後の実体情報を前記記憶手段に記憶させ、前記再度の符号化が行われた実体情報のうち、前記開始位置における開始フレーム画像と、前記終了位置における終了フレーム画像は前記第２フレーム画像読取手段により再度読み取られて、前記開始位置及び終了位置に対応させて前記フレーム画像制御手段により前回読み取った各画像に置き換えられて補助記憶手段に記憶され、更に前記変更値の入力の度に、前記実体情報の前記先頭から末尾までの総再生時間が前記符号化速度の変更値に基づいて前記換算手段により総再生容量が再度換算されて、前記差分算出手段により前記総容量との差分が再算出され、前記表示制御手段が当該差分を前記出力手段に再表示させ、また更に、前記総再生容量が前記総容量以下となる前記差分が得られた後に、前記記憶手段に記憶された符号化後の実体情報についての管理情報を作成する管理情報作成手段と、前記再生用の情報記録媒体とは別の記録用の情報記録媒体のフォーマットに対応して前記実体情報と前記管理情報を、前記記憶手段上に記憶させる情報制御手段とを備えたこと、を特徴とする。
【００７０】
【００７１】
請求項１３記載の情報作成装置は、前記課題を解決するために、請求項１ないし４のいずれか１記載の情報作成装置において、前記記録用の情報記録媒体における前記実体情報の記録可能領域の総容量を入力する総容量入力手段と、前記総容量と予め定められた符号化速度値とに基づいて前記記録用の情報記録媒体における前記実体情報の総記録可能時間を算出する総記録可能時間算出手段と、前記入力した実体情報を符号化する第２符号化手段と、前記符号化した実体情報を前記記憶手段に記憶させる実体情報制御手段と、前記入力した実体情報からタイムコード情報を読み取るタイムコード情報読取手段と、前記タイムコード情報に基づいて、前記先頭から末尾までの前記実体情報の総再生時間を算出する総再生時間算出手段と、前記記録用の情報記録媒体における総記録可能時間と、前記総再生時間との比較を行う時間比較手段と、前記総再生時間が前記総記録可能時間以内と判定された場合には、前記記憶手段に記憶された符号化後の実体情報についての管理情報を作成し、前記再生用の情報記録媒体とは別の記録用の情報記録媒体のフォーマットに対応して前記実体情報と前記管理情報を、前記記憶手段上に記憶させる情報制御手段と、前記符号化の工程において、各フレーム画像毎に、動き変化を検出する動き変化検出手段と、前記検出した動き変化値と、予め定められた閾値とを比較する変化値比較手段と、前記検出した動き変化値が前記閾値よりも小さいと前記変化値比較手段により判定された時点における、前記タイムコード情報を非変化区間の開始位置とし、当該時点のフレーム画像を非変化区間の開始画像とし、前記時点以降に、検出した動き変化値が前記閾値よりも大きいと前記変化値比較手段により判定された時点における、前記タイムコード情報を非変化区間の終了位置とし、当該時点のフレーム画像を非変化区間の終了画像として非変化区間情報を作成する非変化区間情報作成手段と、前記非変化区間情報を前記出力手段に出力させる出力制御手段と、前記時間比較手段により、前記総再生時間が前記総記録可能時間を超えたと判定された場合には、前記総再生時間が前記総記録可能時間以内と判定されるまで、前記非変化区間情報の中からいずれか一の非変化区間情報を選択する非変化区間情報選択手段と、前記選択した一の非変化区間情報における前記開始位置から終了位置までの非変化区間の時間を算出する非変化時間算出手段とを更に備え、前記総再生時間算出手段により前記総再生時間から非変化区間の時間を減算して、前記総再生時間を再算出した結果、前記時間比較手段により前記総再生時間が前記総記録可能時間以内と判定された後に、前記再生制御手段が、前記選択した非変化区間情報に基づく前記非変化区間を除いて、前記再生手段により再度前記実体情報を先頭から末尾まで再生させ、当該再生された実体情報が前記実体情報入力手段により入力されて、前記符号化手段により再度符号化された後、既に前記記憶手段に記憶されている実体情報と置き換えられて前記実体情報制御手段により記憶され、前記情報制御手段が、前記管理情報を作成して前記実体情報と当該管理情報を、前記記憶手段上に記憶させることを特徴とする。
【００７２】
【００７３】
請求項１４記載の情報作成装置は、前記課題を解決するために、請求項１ないし４のいずれか１記載の情報作成装置において、前記記録用の情報記録媒体における前記実体情報の記録可能領域の総容量を入力する総容量入力手段と、前記総容量と予め定められた符号化速度値とに基づいて前記記録用の情報記録媒体における前記実体情報の総記録可能時間を算出する総記録時間算出手段と、前記入力した実体情報からタイムコード情報を読み取るタイムコード情報読取手段と、前記入力した実体情報の中から音情報を検出する音情報検出手段と、前記検出した音情報のレベルと閾値とを比較する音情報レベル比較手段と、前記音情報レベル比較手段により前記音情報のレベルが前記閾値よりも大きいと判定された場合には、識別情報をセットすると共に、前記音情報のレベルが、前記閾値よりも大きいと判定された後に、前記閾値よりも小さいと判定された場合には、識別情報をリセットする識別情報設定手段と、当該識別情報のセット時点における前記タイムコード情報を、変化開始位置として補助記憶手段に記憶させると共に、当該識別情報のリセット時点における前記タイムコード情報を、変化終了位置として補助記憶手段に記憶させるタイムコード情報制御手段と、前記実体情報の先頭から末尾までの再生が終了した後に、前記変化開始位置から前記変化終了位置までの音声区間の時間を算出する音声区間の時間算出手段と、前記総記録可能時間と前記音声区間の時間とを比較する音声区間比較手段と、前記音声区間比較手段により前記音声区間が前記総記録可能時間よりも長いと判定された場合には、前記音声区間が前記総記録可能時間以内と判定されるまで、前記閾値をステップ状に増加させる閾値制御手段とを備え、前記再生制御手段、前記実体情報入力手段、前記符号化手段、前記タイムコード情報読取手段、前記音情報検出手段、前記音情報レベル比較手段、識別情報設定手段、タイムコード情報制御手段、時間算出手段、及び音声区間比較手段は、前記閾値が増加する毎にそれぞれの処理を再度行い、前記再生制御手段、実体情報入力手段、及び符号化手段は、前記音声区間が前記総記録可能時間以内と判定された後は、前記実体情報を当該音声区間においてそれぞれの処理を行い、更に、前記符号化した実体情報を前記記憶手段に記憶させる実体情報制御手段と、前記記憶手段に記憶された符号化後の実体情報についての管理情報を作成する管理情報作成手段と、前記再生用の情報記録媒体とは別の記録用の情報記録媒体のフォーマットに対応して前記実体情報と前記管理情報を、前記記憶手段上に記憶させる記録情報制御手段とを備えたこと、を特徴とする。
【００７４】
【００７５】
【００７６】
【００７７】
【００７８】
【００７９】
【００８０】
【００８１】
【００８２】
【００８３】
【００８４】
【００８５】
【００８６】
【００８７】
【００８８】
【００８９】
【００９０】
【００９１】
【００９２】
請求項１５記載の情報記録装置は、前記課題を解決するために、請求項７記載の情報記録装置において、当該情報記録装置よる情報記録処理中に前記出力手段に出力させたメニュー情報から、修正対象の実体情報を選択する修正対象選択手段と、前記情報記録処理により記録用の情報記録媒体に記録した情報のうち、メニュー情報を含む実体管理情報及び全体管理情報を、前記記録用の情報記録媒体から読み取る管理情報読取手段と、前記情報記録処理により記録用の情報記録媒体に記録した情報のうち、前記修正対象以外の実体情報を、前記記録用の情報記録媒体から読み取る実体情報読取手段と、前記修正対象の実体情報を、再生用の情報記録媒体から読み取る修正対象情報読取手段と、前記各手段により読み取った前記実体情報、実体管理情報、及び全体管理情報を再結合させる再結合手段と、  前記再結合させた各情報を用いて、前記情報記録処理により新たな記録用の情報記録媒体に新たな記録を行う再記録制御手段と、を更に備えたことを特徴とする。
【００９３】
請求項１６記載の情報記録装置は、前記課題を解決するために、請求項７記載の情報記録装置において、当該情報記録装置よる情報記録処理中に、前記表示手段に表示させたメニュー情報から、修正対象の実体情報を選択する修正対象選択手段と、前記情報記録処理中に前記記憶手段に記憶させた情報のうち、メニュー情報を含む実体管理情報及び全体管理情報を、前記記憶手段から読み取る管理情報読取手段と、前記情報記録処理中に前記記憶手段に記憶させた情報のうち、前記修正対象以外の実体情報を、前記記憶手段から読み取る実体情報読取手段と、前記修正対象の実体情報を、前記記憶手段から読み取る修正対象情報読取手段と、前記各手段により読み取った前記実体情報、実体管理情報、及び全体管理情報を再結合させる再結合手段と、前記再結合させた各情報を用いて、前記情報記録処理により新たな記録用の情報記録媒体に新たな記録を行う再記録制御手段と、を更に備えたことを特徴とする。
【００９４】
請求項１７記載の情報作成装置は、前記課題を解決するために、請求項８または９記載の情報作成装置において、当該情報作成装置による情報作成処理中に、前記表示手段に表示させたメニュー情報から、修正対象の実体情報を選択する修正対象選択手段と、前記情報作成処理中に前記記憶手段に記憶させた情報のうち、メニュー情報を含む実体管理情報及び全体管理情報を、前記記憶手段から読み取る管理情報読取手段と、前記情報作成処理中に前記記憶手段に記憶させた情報のうち、前記修正対象以外の実体情報を、前記記憶手段から読み取る実体情報読取手段と、前記修正対象の実体情報を、再生用の情報記録媒体から読み取る修正対象情報読取手段と、前記各手段により読み取った前記実体情報、実体管理情報、及び全体管理情報を再結合させる再結合手段と、を更に備えたことを特徴とする。
【００９５】
請求項１８記載の情報作成方法は、前記課題を解決するため、請求項８または９記載の情報作成装置において、当該情報作成装置による情報作成処理中に、前記表示手段に表示させたメニュー情報から、修正対象の実体情報を選択する修正対象選択手段と、前記情報作成処理中に前記記憶手段に記憶させた情報のうち、メニュー情報を含む実体管理情報及び全体管理情報を、前記記憶手段から読み取る管理情報読取手段と、前記情報作成処理中に前記記憶手段に記憶させた情報のうち、前記修正対象以外の実体情報を、前記記憶手段から読み取る実体情報読取手段と、前記修正対象の実体情報を、前記記憶手段から読み取る修正対象情報読取手段と、前記各手段により読み取った前記実体情報、実体管理情報、及び全体管理情報を再結合させる再結合手段と、を更に備えたことを特徴とする。
【００９６】
請求項１９記載の情報作成方法は、前記課題を解決するため、再生用の情報記録媒体に日付情報を伴って予め記録された少なくとも画像を表す実体情報についての、該情報記録媒体の再生手段による再生、再生後の実体情報の符号化、符号化後の実体情報を管理する実体管理情報の作成、該実体管理情報を管理する全体管理情報の作成により、前記再生用の情報記録媒体とは別の記録用の情報記録媒体のフォーマットに対応して、前記実体情報と、前記実体情報を一又は複数のタイトル毎に管理するための前記実体管理情報及び前記全体管理情報とを、前記記録用の情報記録媒体以外の前記記憶手段上に作成する際に、前記タイトル選択のためのメニュー情報を前記実体管理情報及び前記全体管理情報の一部として作成し、更に前記実体情報の内容を表す素材リスト情報を前記記憶手段上に作成する情報作成方法であって、前記再生手段により、前記実体情報を先頭から再生させる工程と、前記再生された実体情報を入力する工程と、前記入力した実体情報から前記日付情報を読み取る工程と、前記読み取った日付情報が変更される毎に当該日付情報をタイトル名とするタイトル選択のためのメニュー情報を作成し、前記記憶手段上に確保され階層構造を有するメニュー情報の記憶領域に記憶させる工程と、前記入力した実体情報における一定時間区切り毎の先頭のフレーム画像を読み取る工程と、前記読み取った先頭のフレーム画像を表示内容とする前記メニュー情報よりも下階層のメニュー情報を作成し、前記メニュー情報の記憶領域に記憶させる工程と、前記一定時間区切りの開始位置と終了位置を、一定時間区切り毎に読み取る工程と、前記読み取った先頭のフレーム画像と、当該先頭のフレーム画像に対応する前記読み取った日付情報と、当該先頭のフレーム画像に対応する前記読み取られた一定時間区切りの開始位置及び終了位置とを関連付けて、素材リスト情報として前記記憶手段に記憶させる工程と、前記作成されたメニュー情報と前記下階層のメニュー情報とからなるメニュー構成情報を前記記憶された素材リスト情報と対応付けて前記記憶手段に記憶させる工程と、前記記憶された素材リスト情報及びメニュー構成情報を出力手段に出力させる工程と、を備えたことを特徴とする。
【００９７】
請求項２０記載の情報記録媒体は、前記課題を解決するために、コンピュータに、再生用の情報記録媒体に日付情報を伴って予め記録された少なくとも画像を表す実体情報についての、該情報記録媒体の再生手段による再生、再生後の実体情報の符号化、符号化後の実体情報を管理する実体管理情報の作成、該実体管理情報を管理する全体管理情報の作成により、前記再生用の情報記録媒体とは別の記録用の情報記録媒体のフォーマットに対応して、前記実体情報と、前記実体情報を一又は複数のタイトル毎に管理するための前記実体管理情報及び前記全体管理情報とを、コンピュータの前記記憶手段上に作成する際に、前記タイトル選択のためのメニュー情報を前記実体管理情報及び前記全体管理情報の一部として作成し、更に前記実体情報の内容を表す素材リスト情報を前記記憶手段上に作成させる情報作成用プログラムが記録されたコンピュータ読み取り可能な情報記録媒体であって、前記コンピュータに、前記再生手段により、前記実体情報を先頭から再生させる工程と、前記再生された実体情報を入力する工程と、前記入力した実体情報から前記日付情報を読み取る工程と、前記読み取った日付情報が変更される毎に当該日付情報をタイトル名とするタイトル選択のためのメニュー情報を作成し、前記記憶手段上に確保され階層構造を有するメニュー情報の記憶領域に記憶させる工程と、前記入力した実体情報における一定時間区切り毎の先頭のフレーム画像を読み取る工程と、前記読み取った先頭のフレーム画像を表示内容とする前記メニュー情報よりも下階層のメニュー情報を作成し、前記メニュー情報の記憶領域に記憶させる工程と、前記一定時間区切りの開始位置と終了位置を、一定時間区切り毎に読み取る工程と、前記読み取った先頭のフレーム画像と、当該先頭のフレーム画像に対応する前記読み取った日付情報と、当該先頭のフレーム画像に対応する前記読み取られた一定時間区切りの開始位置及び終了位置とを関連付けて、素材リスト情報として前記記憶手段に記憶させる工程と、前記作成されたメニュー情報と前記下階層のメニュー情報とからなるメニュー構成情報を前記記憶された素材リスト情報と対応付けて前記記憶手段に記憶させる工程と、前記記憶された素材リスト情報及びメニュー構成情報を出力手段に出力させる工程と、を実行させる情報作成用プログラムを記録したことを特徴とする。
【００９８】
【００９９】
（作用）
請求項１に記載の情報作成装置、請求項１９に記載の情報作成方法、請求項２０に記載の情報記録媒体によれば、自動的にタイトル名またはタイトル画像を有するメニュー情報が作成されるので、マルチメディア光ディスク等の情報記録媒体の作成処理の効率化が図られる。また、自動的に素材リスト情報及びメニュー構成情報が表示されるので、映像素材が記録された媒体の内容を容易に把握することが可能となる。また、各素材リスト情報には、メニュー構成情報が対応付けられて保存されるので、マルチメディア光ディスク等の情報記録媒体の作成処理の効率化がより一層図られる。
請求項２に記載の情報作成装置によれば、映像素材が記録された媒体の識別情報を有する素材リスト情報が作成されるので、映像素材が記録された媒体の数が膨大になった場合でも当該媒体に対応する素材リストの迅速な検索が可能となり、マルチメディア光ディスク等の情報記録媒体の作成処理の効率化も図られる。
【０１００】
請求項３に記載の情報作成装置によれば、映像素材毎に管理されたメニュー情報が自動的に作成されるので、マルチメディア光ディスク等の情報記録媒体の作成処理の効率化が図られる。
【０１０１】
請求項４記載の情報作成装置によれば、映像素材が一定時間毎に記録されていない場合であっても、映像素材毎に管理されたメニュー情報が自動的に作成されるので、マルチメディア光ディスク等の情報記録媒体の作成処理の効率化が図られる。
【０１０２】
【０１０３】
【０１０４】
【０１０５】
【０１０６】
請求項５に記載の情報出力装置によれば、実体情報及び管理情報が、マルチメディア光ディスク等の情報記録媒体の論理フォーマットに従って出力されるので、マルチメディア光ディスク等の情報記録媒体が容易且つ適切に作成されることになる。
【０１０７】
請求項６に記載の情報出力装置によれば、実体情報及び管理情報が、ディスクイメージの段階で既にマルチメディア光ディスク等の情報記録媒体の論理フォーマットに従って記録され、このディスクイメージが出力されるので、マルチメディア光ディスク等の情報記録媒体が容易且つ適切に作成されることになる。また、前記ディスクイメージが記録された記録媒体を用いれば、他の出力手段を用いても容易且つ適切に作成されることになる。
【０１０８】
請求項７に記載の情報記録装置によれば、実体情報及び管理情報の記録されたマルチメディア光ディスク等の情報記録媒体が容易且つ適切に作成されることになる。
【０１０９】
【０１１０】
請求項８に記載の情報作成装置によれば、前記素材リストにおける、映像素材が記録された媒体の識別情報に基づいて、マルチメディア光ディスク等の情報記録媒体が作成されるので、マルチメディア光ディスク等の情報記録媒体の論理フォーマット等の専門知識を有さない者が操作した場合でも、マルチメディア光ディスク等の情報記録媒体が効率的に且つ確実に作成される。
【０１１１】
請求項９に記載の情報作成装置によれば、複数の再生手段が自動的に切り替えられてマルチメディア光ディスク等の情報記録媒体が作成されるので、作成処理の効率化が図られる。また、マルチメディア光ディスク等の情報記録媒体の論理フォーマット等の専門知識を有さない者が操作した場合でも、マルチメディア光ディスク等の情報記録媒体を効率的に且つ確実に作成される。
【０１１２】
【０１１３】
【０１１４】
【０１１５】
請求項１０に記載の情報作成装置によれば、映像素材の主要部分以外を自動的にカットして、映像素材のデジタル化が行われるので、映像素材を確実にマルチメディア光ディスク等の情報記録媒体に記録可能となる。
【０１１６】
請求項１１に記載の情報作成装置によれば、カット処理が行われた箇所に、マーカー表示が行われるので、カット処理後の編集作業が容易になる。
【０１１７】
【０１１８】
請求項１２に記載の情報作成装置によれば、映像素材の開始及び終了位置、並びフレーム画像等が表示され、光ディスク等の情報記録媒体の制作者が、映像素材毎の符号化速度の設定を行うことができるので、当該制作者の意図に反することなく、映像素材を確実にマルチメディア光ディスク等の情報記録媒体に記録可能となる。
【０１１９】
【０１２０】
請求項１３に記載の情報作成装置によれば、映像素材の非変化区間がカット処理候補として表示され、光ディスク等の情報記録媒体の制作者が、映像素材毎にカット処理を行うか否かの設定を行うことができるので、当該制作者の意図に反することなく、映像素材を確実にマルチメディア光ディスク等の情報記録媒体に記録可能となる。
【０１２１】
【０１２２】
請求項１４に記載の情報作成装置によれば、音声情報の範囲から符号化の範囲が決定されるので、映像素材を確実にマルチメディア光ディスク等の情報記録媒体に記録可能となる。
【０１２３】
【０１２４】
【０１２５】
【０１２６】
請求項１５に記載の情報記録装置によれば、メニュー情報に基づいて修正箇所を指定できるので、容易且つ効率的に映像素材の修正が行われることになる。
【０１２７】
請求項１６に記載の情報記録装置によれば、メニュー情報に基づいて修正箇所を指定できると共に、修正対象以外の実体情報については、記憶手段に格納されたものを読み取るので、より一層容易且つ効率的に映像素材の修正が行われることになる。
【０１２８】
請求項１７に記載の情報記録装置によれば、メニュー情報に基づいて修正箇所を指定できると共に、修正対象以外の実体情報については、記憶手段に格納されたものを読み取り、更に管理情報について記憶手段に格納されたものを読み取るので、より一層容易且つ効率的に映像素材の修正が行われることになる。
【０１２９】
請求項１８に記載の情報記録装置によれば、メニュー情報に基づいて修正箇所を指定できると共に、修正対象以外の実体情報については、記憶手段に格納されたものを読み取り、更に管理情報について記憶手段に格納されたものを読み取り、更に修正対象の実体情報についても記憶手段に格納されたものを読み取るので、より一層容易且つ効率的に映像素材の修正が行われることになる。
【０１３０】
【発明の実施の形態】
以下、本発明の実施の形態を添付図面に基づいて説明する。
【０１３１】
（第１の実施形態）
まず、本発明の第１の実施形態を図１ないし図５、及び図５０ないし図５５に基づいて説明する。本実施形態は、ビデオ映像等の素材をＤＶＤ（ＤｉｇｉｔａｌＶｉｄｅｏ Ｄｉｓｃ）等のマルチメディア光ディスクに記録する方法及び装置に本発明を適用した実施形態である。
【０１３２】
以下、前記各方法及び装置について説明するが、まず、これらの説明を行う前に、前記ＤＶＤ等のマルチメディア光ディスクにおける論理フォーマットについて引用文献を基に説明する。なお、以下の説明において、「映像情報」とは、画像情報と音声情報の両方を含む概念であり、画像情報のみの場合と、画像情報と音声情報の両方が存在する場合がある。
【０１３３】
［引用文献］
１．ＤＶＤ Ｄｅｍｙｓｔｉｆｉｅｄ（著者：ＪｉｍＴａｙｌｏｒ出版社：マグロウヒル社）
２．特開平１０−１９９２１５号公報
３．特開平１０−１０８１３５号公報
［マルチメディア光ディスクの論理フォーマット］
最初に、ＤＶＤ等のマルチメディア光ディスクにおける映画等のコンテンツの管理単位について説明する。本実施形態では、マルチメディア光ディスクに記録する映画等のコンテンツの単位をタイトルと称する。例えば、コンテンツが映画のときには、１タイトルに１本の映画を割り当てる。従って、３つのタイトルを記録するマルチメディア光ディスクには、３本の映画を記録することになる。
【０１３４】
また、タイトルの上位概念として、映像情報を共有する複数のタイトルから構成されるタイトルセットがある。例えば、同じ映画で、ノーカット版、劇場公開版、及びテレビ版と、映像情報の多くを互いに共有する３つのバージョンがあった場合、これらをまとめて一つのタイトルセットと称する。
【０１３５】
本実施形態のマルチメディア光ディスクは、複数のタイトルセットを記録することができる。例えば、映画Ａと映画Ｂと映画Ｃとのそれぞれについて、劇場版及びノーカット版を記録する場合は、それぞれ２つのタイトルから構成される３つのタイトルセットが記録されることになる。
【０１３６】
個々のタイトルはシーンとシーンの再生経路情報とから構成される。シーンは、映像情報、即ち画像情報と音声情報とを含んでいる。なお、本明細書内で使用する「音声情報」とは、本来の人間の音声だけでなく、音声以外の音、または音楽等の音の情報を含むものである。
【０１３７】
シーンの再生経路情報には、分岐の有る再生経路情報を含み、分岐のない連続再生の再生経路情報を本実施形態では、プログラムチェーン（ＰＧＣ）情報と称する。これらプログラムチェーン情報は互いに接続され、全体でタイトルセットの再生経路情報を構成する。
【０１３８】
次に、マルチメディア光ディスクの論理フォーマットを説明する。なお、図５０ないし図５５においては、本発明の実現のために必要な情報について主に記述しており、他の部分は省略している。
【０１３９】
図５０は、情報記録媒体としてのマルチメディア光ディスクに記録される記録情報のデータ構造を示す図である。記録情報５０１は、ディスク情報ファイル５０２と複数のビデオファイル５０３とから構成される。ディスク情報ファイル５０２には、マルチメディア光ディスク全体の情報であるボリューム情報が含まれる。また、ディスク情報ファイル５０２には、マルチメディア光ディスクの再生開始時にユーザがタイトルセットを選択するためのメニュー情報も含まれる。
【０１４０】
ビデオファイル５０３は、個々のタイトルセットを含んでいる。ビデオファイル５０３は、実体管理情報としてのビデオファイル管理情報５０４と、実体情報としてのビデオファイルデータ５０５とから構成される。ビデオファイルデータ５０５には、タイトルセットを構成する全てのシーンの映像情報、及び副映像情報を含んでいる。ビデオファイル管理情報５０４は、ビデオファイル管理テープル５０６と、タイトル管理情報５０７と、タイトル内プログラムチェーン情報テーブル５０８と、メニュー内プログラムチェーン管理情報５０９とから構成される。ビデオファイル管理テーブル５０６には、ビデオファイル５０３へのヘッダ情報が含まれる。タイトル管理情報５０７は、このタイトルセットを構成する複数のタイトルを管理する情報が含まれる。タイトル内プログラムチェーン情報テーブル５０８には、タイトルセット内のタイトル内の全てのプログラムチェーン情報を定義する情報が含まれる。メニュー内プログラムチェーン情報テーブル５０９は、タイトルセット内のメニュー内の全てのプログラムチェーン情報を定義する情報が含まれる。
【０１４１】
図５１は、ビデオファイル管理テーブル５０６の構成を示す図である。ビデオファイル管理テーブル５０６は、タイトル管理情報５０７へのポインタ６０１と、タイトル内プログラムチェーン情報テーブル５０８へのポインタ６０２と、メニュー内プログラムチェーン情報テーブル５０９へのポインタ６０３と、メニュー用映像属性テーブル６０４と、メニュー用副映像属性テーブル６０５と、タイトル用映像属性テーブル６０６と、タイトル副映像属性テーブル６０７等とから構成される。
【０１４２】
メニュー用映像属性テーブル６０４には、メニュー内で使用される画像ストリームまたは音声ストリームの数、及び画像ストリームまたは音声ストリームの属性が含まれる。メニュー用副映像属性テーブル６０５には、メニュー内で使用される副映像ストリームの数及び副映像ストリームの属性が含まれる。タイトル用映像属性テーブル６０６には、タイトル内で使用される画像ストリームまたは音声ストリームの数、及び画像ストリームまたは音声ストリームの属性が含まれる。タイトル用副映像属性テーブル６０７には、タイトル内で使用される副映像ストリームの数及び副映像ストリームの属性が含まれる。
【０１４３】
それぞれのストリーム数及び属性についての情報は、ビデオファイルデータ５０５の作成前に、予め設定可能な情報である。
【０１４４】
図５２は、タイトル管理情報５０７の構成を示す図である。タイトル管理情報５０７は、ビデオファイルデータ５０５中に含まれるタイトルを高速に検索するためのタイトル検索ポインタ７０１のテーブルである。タイトル検索ポインタ７０１は、プログラムチェーン（ＰＧＣ）情報の番号であるＰＧＣ番号７０２と、プログラムチェーンを構成するプログラム（ＰＧ）の番号であるＰＧ番号７０３とが含まれる。
【０１４５】
タイトル検索ポインタ７０１の数は、後述するチャプターの数によって決定され、チャプターの数は、ビデオファイルデータ５０５を作成する前に予め設定可能である。また、各タイトルに、どの番号のＰＧＣを割り当てるか、また、いくつのＰＰＧＣを割り当てるかについても、予め設定可能である。更に、各チャプターに何番のＰＧを割り当てるか、また、いくつのＰＧを割り当てるかについても、予め設定可能である。
【０１４６】
図５３は、タイトル用のプログラムチェーン情報テーブル５０８のデータ構造を示す図である。プログラムチェーン情報テーブル５０８は、タイトルセット内の全てのプログラムチェーン（ＰＧＣ）情報８０１をそれぞれ定義するプログラムチェーン情報８０１の複数のエントリから構成される。それぞれのプログラムチェーン情報８０１は、格納プログラム数８０３と、ＰＧＣ再生時間８０４と、直接アクセス情報テーブル８０５と、格納セル数８０６と、セル再生情報テーブル８０７とを備えている。
【０１４７】
格納プログラム数８０３には、一つのプログラムチェーン情報８０１で管理されるプログラムの数の情報が含まれる。また、ＰＧＣ再生時間８０４には、一つのプログラムチェーン情報８０１の再生に要する時間の情報が含まれる。直接アクセス情報テーブル８０５には、セルの先頭のプログラム番号報が含まれる。格納セル数８０６には、一つのプログラムを構成するセルの数の情報がプログラム数分含まれる。後述する符号化処理、多重化処理、及び記憶処理は、このセルを処理区切りとして、セル毎に行われる。
【０１４８】
セル再生情報テーブル８０７は、一つ以上の格納セル情報８０８のエントリから構成される。格納セル情報８０８は、プログラム数分設けられている。また、セル再生情報テーブル８０７における格納セル情報８０８の格納順序は、セルの再生順序に従っている。
【０１４９】
更に、格納セル情報８０８は、それぞれ再生すべきセルに対し、セル属性情報８０９と、セル再生時間８１０と、ビデオファイルデータ５０５に格納されるセルデータの光ディスク上の記録位置を示すオフセット８１１と、セルデータが占める論理ブロック数８１２とを含んでいる。
【０１５０】
セル属性情報８０９は、セルブロックモード８１３とセルブロックタイプ８１４とを含んでいる。セルブロックモード８１３は、該セルがマルチアングルブロックを構成するか否か、またマルチアングルブロックを構成する場合、ブロックの先頭か、終端か、あるいはそれ以外かの情報を含んでいる。またセルブロックタイプ８１４は、該セルがマルチアングルブロック中に含まれるか否かの情報を含んでいる。
【０１５１】
図５４は、メニュー用プログラムチェーン情報テーブルのデータ構造を示す図である。マルチメディア光ディスクは、複数の言語に対応したメニューを持つ場合が多く、そのため各言語用のプログラムチェーン情報９０１がメニュー言語ユニット９０２というまとまりとしてメニュー用プログラムチェーン情報テーブル５０９に記録されている。ＰＧＣ情報９０１については、図５３に示したタイトル用プログラム情報テープル５０８内に含まれるタイトル用のＰＧＣ情報８０１と同様な構成となっている。
【０１５２】
図５５は、ビデオファイルデータ５０５のデータ構造を示す図である。ビデオファイルデータ５０５は、複数のシステムストリームから構成される。本実施形態ではこのシステムストリームをセル１００１と称する。セル１００１は２ＫＢのブロックを１パックとし、動画情報（ビデオ）１００２と、音声情報（オーディオ）１００３と、副映像１００４と、管理情報（管理パック）１００５とがインターリーブされた構成となっている。動画情報１００２はＧＯＰ（ＧｒｏｕｐＯｆＰｉｃｔｕｒｅｓ）と呼ばれるフレーム間動画データ圧縮の圧縮・伸長単位から構成される。ＧＯＰは、再生時に制御可能な最小単位である。このＧＯＰ単位に管理情報１００５は、ＧＯＰに先立って管理パックとしてインターリーブされる。管理パック１００５はＧＯＰをアクセスするためのサーチ用の情報であるが、ハイライト情報と称されるメニュー情報のための情報も記録される。なお、動画情報１００２のＧＯＰ単位は、フレームモードで１２〜１５ピクチャのデータ量であり、シンクヘッド１００６とＩ−ピクチャ（Ｉｎｔｒａ−ｃｏｄｅｄｐｉｃｔｕｒｅ：イントラ符号化画像）１００７と複数のＢ−ピクチャ（Ｂｉｄｉｒｅｃｔｉｏｎａｌｌｙｐｒｅｄｉｃｔｉｖｅ−ｃｏｄｅｄ ｐｉｃｔｕｒｅ：両方向予測符号化画像）１００８とからなる。
【０１５３】
以上が本実施形態の情報処理装置の処理対象となる、マルチメディア光ディスクに記録される記録情報５０１の論理フォーマットである。
【０１５４】
［情報作成装置の概略構成］
次に、本実施形態における情報作成装置の概略構成を図１ないし図５に基づいて説明する。
【０１５５】
図１に示すように、本実施形態の情報作成装置は、パーソナルコンピュータ等からなる情報作成装置本体１と、ＣＲＴ等からなるディスプレイ２と、キーボード３及びマウス４と、ビデオテープを再生するビデオカセットレコーダ（以下、ＶＣＲとする）５と、記録手段として、ＤＶＤ等のマルチメディア光ディスクへの情報の記録を行うための光ディスク書込装置６とを備えている。
【０１５６】
情報作成装置本体１は、本実施形態の情報作成装置の構成を示すブロック図である図２に示すように、ＣＰＵ等からなり、ＶＣＲ５等を制御してビデオ情報を入力する制御部１０と、ＭＰＥＧエンコーダまたはＡＣ−３エンコーダ等からなり、入力した画像または音声をデジタルデータファイルに変換するデジタル変換部１１と、ＣＰＵ等からなり、ビデオ情報に沿って光ディスクのメニュー構成と各メニューボタンのリンク先情報を作成するメニュー作成部１２と、ＣＰＵ等からなり、素材情報や映像編集の指示を出力する情報出力部１３と、ＣＰＵ及びハードディスク等からなり、取り込んだ映像を光ディスクに書き込むイメージデータとして作成するディスクデータ作成部１４と、光ディスクの画質と書き込み容量を調整するレート制御部１５とから構成される。
【０１５７】
また、情報作成装置本体１には、前記ディスプレイ２等からなり、素材情報や映像編集の指示を表示する表示部１６と、前記キーボード３及びマウス４等からなり、情報作成装置本体１の起動または停止や、データの入力を行い、システムを操作する入力操作部１７と、前記ＶＣＲ５等からなり、ビデオ映像等の素材滋情報を出力する素材入力部１８と、前記光ディスク書込装置６等からなり、情報作成装置本体１で光ディスクのイメージファイル化したデータを受け取り、光ディスクに書き込んでいく、光ディスク書込み部１９とが接続されている。
【０１５８】
図２に示したブロック図は、本実施形態の情報作成装置を機能面から捉えて描いたものであり、各部は、図１に示したような具体的な機器と、図示しない入出力インターフェースと、本発明に係るプログラムを実行した図示しないＣＰＵ等とから構成される。
【０１５９】
なお、情報作成装置本体１は、上述したようにパーソナルコンピュータ等の一般的なコンピュータ装置から構成されている。しかし、図１及び図２においては、一般的なコンピュータ装置の構成要素のうち、本実施形態の説明上不要なものについては省略している。
【０１６０】
図２に示した構成要素以外の構成要素としては、例えば、フロッピーディスクドライブ装置、あるいはＣＤ−ＲＯＭドライブ装置が挙げられる。本実施形態における情報作成装置における各処理のためのプログラムは、例えば情報記録媒体としてのＣＤ−ＲＯＭに記録されており、ＣＤ−ＲＯＭドライブ装置を用いて当該プログラムを図示しないハードディスク上にインストールすることにより、実行可能な状態となる。
【０１６１】
なお、本実施形態における光ディスク書込装置６は、一例として一回に限り追記が可能なＤＶＤ−Ｒ（ＤＶＤ−Ｒｅｃｏｒｄａｂｌｅ）、何度でも書き換えが可能なＤＶＤ−ＲＷ（ＤＶＤ−Ｒｅｗｒｉｔａｂｌｅ）に対して書き込みを行う装置を用いる。つまり、本実施形態では、マルチメディア光ディスクとして、ＤＶＤ−ＲまたはＤＶＤ−ＲＷを用いる。但し、本発明の構成はこのような構成に限定されるものではなく、例えば光ディスク書込装置６の代わりに、デジタルテープ記録装置を用い、一旦デジタルテープに情報を記録した後、プレス加工等を経てマルチメディア光ディスクへの情報の記録を行うように構成しても良い。
【０１６２】
［情報作成処理］
次に、本実施形態の情報作成装置による情報作成処理を図３ないし図５に基づいて詳しく説明する。
【０１６３】
本実施形態は、光ディスクの制作者が、ビデオ映像の素材が記録されたビデオテープをＶＣＲ５にセットし、キーボード３またはマウス４を操作することによって情報作成処理を開始させると、前記素材の光ディスクへの書き込みを自動的に処理するものである。
【０１６４】
本実施形態の情報作成処理を実現させるに当たっては、まず、ＶＣＲ５において再生されるビデオテープに、予め図３に示すような構造の映像素材を記録しておくことが前提となる。
【０１６５】
図３は、ビデオテープに記録された映像素材の構造を示す図であり、Ａ〜Ｌは各映像素材を区別するために付けられた符号であり、これらの符号は各素材の先頭のフレーム画像の位置に付けられている。また、図３は、各映像素材Ａ〜Ｌが時間的に連続して記録されていると共に、それぞれ一定時間毎に区切られていることを示している。本実施形態では、このように、予めユーザーがビデオ映像の撮影時に、映像素材を一定時間に区切って撮影し、または一定時間に区切るように編集しておく。また、映像情報には、日付情報として、タイムコードが含まれているものとする。図３の例では、映像素材Ａ〜Ｃは「９８／１／１」のタイムコードを、映像素材Ｄ〜Ｈは「９８／５／５」のタイムコードを、映像素材Ｉ〜Ｌは「９８／８／７」のタイムコードを有しており、映像素材Ｃと映像素材Ｄの間、及び映像素材Ｈと映像素材Ｉの間にタイムコードの切れ目が存在している。
【０１６６】
なお、これらの映像素材は、１本のビデオテープ内に納められている。本実施形態においては、このようなビデオテープを再生し、光ディスクの総データ容量に入りきるようなレート設定のデジタル化を図２に示すレート制御部１５にて行うものとする。
【０１６７】
以下、図５のフローチャートに基づいて、本実施形態における情報作成処理について説明する。
【０１６８】
まず、光ディスクの操作者は、前記ビデオテープを素材入力部１８のＶＣＲ５にセットし、情報処理装置本体１において情報作成システムを起動させる。本発明に係る情報作成プログラムは、予め図示しないハードディスクにインストールされているものとし、光ディスクの操作者が入力操作部を操作することにより、図示しないＣＰＵにより当該情報作成プログラムが実行されるようになっている。
【０１６９】
このように情報作成プログラムが起動されると、図２に示すメニュー作成部１２は、メニューの作成処理を行う。メニューとは、光ディスクの再生時にテレビ等の表示手段に表示されるものであり、具体的にはボタン画像が背景画像を伴って表示される。メニュー作成部１２は、まず、一番最初に表示されるトップのメニューとして、図４に示すようにビデオテープ毎の番号を付けたボタン２０と所定の背景画像２１とから構成されるタイトルメニュー２２ａを作成する（ステップＳ１）。ここで、ビデオテープの番号は、光ディスクの制作者が入力操作部１７により入力するものとする。図４では１本目のビデオテープについて情報作成処理を行う場合なうので、ビデオ１という文字がボタン２０に付けられる。
【０１７０】
次に、制御部１０は、素材入力部１８におけるＶＣＲ５を制御し、図３に示す映像素材を先頭から再生するためにビデオテープの巻き戻し及び頭出し処理を行う（ステップＳ２）。頭出しが完了すると、制御部１０は、ＶＣＲ５を制御して、映像素材を再生させる（ステップＳ３）。表示部１６に表示させる。
【０１７１】
次に、メニュー作成部１２は、映像素材に書き込まれているタイムコード情報を読み込み（ステップＳ４）、図４に示すように、所定の背景画像２３とボタン２２から構成される日付メニュー２４を作成する（ステップＳ５）。この日付メニューは、前記タイトルメニュー２２ａの下位の階層に位置するものであり、ビデオボタン２０にはリンク先として、この日付メニュー２４が設定されている。日付メニュー２４の作成は、まず、読み込んだタイムコート情報をボタン名としたボタン２２を作成することから行われる（ステップＳ６）。図４に示す例では、まず、「９８／１／１」のボタン名を持ったボタン２２が作成される。
【０１７２】
次に、メニュー作成部１２は、図４に示す素材メニュー２７を作成する（ステップＳ７）。この素材メニュー２７は、前記日付メニューの下位の階層に位置するものであり、日付ボタン２２のそれぞれにはリンク先として、これらの素材メニュー２７が設定されている。素材メニュー２７の作成は、同じタイムコード情報に属する映像素材の先頭部分のフレーム画像を、静止画として入力し（ステップＳ８）、入力した静止画を画像として有するボタン２５を作成し、所定の背景画像２６を付加することにより行われる（ステップＳ９）。図４に示す例では、まず、Ａ、Ｂ、及びＣの画像がボタン２５の画像として用いられる。このボタン２５には、一定時間毎に区切られデジタルデータとして記憶されるそれぞれの映像素材２８へのリンク情報が設定される。
【０１７３】
本実施形態においては、そのボタン２５にリンクした映像素材の取り込み及びデジタル化処理が、以上のような映像素材のボタン２５の作成処理と並行して、デジタル変換部１１により行われ、更にディスクデータ作成部１４により、光ディスクのフォーマットに従ったディスクイメージデータの作成処理が行われる（ステップＳ１０）。
【０１７４】
以上のようなボタン作成処理及びデジタル化処理が行われている間も、ビデオテープに書き込まれたタイムコード情報の監視が行われており（ステップＳ１１）、タイムコード情報の切れ目が検知された場合には（ステップＳ１２：はい）、制御部１０は、ＶＣＲ５を一時停止させ（ステップＳ１３）、デジタル変換部１１は素材のデジタル化を終了させる（ステップＳ１４）。
【０１７５】
そして、制御部１０は、再びＶＣＲ５により再生を開始し（ステップＳ１５）、次のタイムコード情報に基づいて、日付メニュー２４の作成処理（ステップＳ６）、映像素材の選択メニュー２７の作成処理（ステップＳ７〜Ｓ９）、及び映像素材のデジタル化処理（ステップＳ１０）を繰り返す。
【０１７６】
また、タイムコード情報から再生時間が一定時間に達したことが判明した場合には（ステップＳ１６）、制御部１０は、ＶＣＲ５を一時停止させ（ステップＳ１７）、デジタル変換部１１は、映像素材のデジタル化を終了させる（ステップＳ１８）。そして、制御部１０は、再びＶＣＲ５の再生を開始させ（ステップＳ１９）、映像素材のタイムコード情報を入力する（ステップＳ２０）。このタイムコード情報から、ビデオ映像が終了したか否かを判定し（ステップＳ２１）、終了していない場合には、再び映像素材の選択ボタン２５の作成処理（ステップＳ８〜Ｓ９）と、映像素材のデジタル化処理（ステップＳ１０）を繰り返す。
【０１７７】
そして、ビデオ映像が終了したと判定した場合には、制御部１０はＶＣＲ５を停止させ（ステップＳ２２）、光ディスク書込み部１９による光ディスクへのデータの書込み処理が行われる（ステップＳ２３）。
【０１７８】
図４の例では、「ビデオ１」のビデオボタン２０を有するビデオタイトルメニュー２２ａと、「９８／１／１」、「９８／５／５」、及び「９８／８／７」の３つ日付ボタン２２を有する日付メニュー２４と、Ａ〜Ｌの画像を有するボタン２５を備えた素材メニュー２７とからなるメニュー情報を有すると共に、上述のように所定のレートでデジタル化された映像素材を有し、光ディスクの論理フォーマットに従った論理構造のディスクイメージが、ディスクデータ作成部１４から光ディスク書込み部１９へ出力され、光ディスクへ書き込まれる。
【０１７９】
以上のように、本実施形態によれば、光ディスクの制作者が、所定の映像素材が記録されたビデオテープをＶＣＲ５にセットし、情報作成装置において情報作成プログラムを起動させるだけで、自動的に光ディスクを作成することができる。
【０１８０】
ユーザーが、この光ディスクを再生装置にセットして再生すると、テレビ等の表示手段には、まず図４に示すビデオタイトルメニュー２２ａが表示される。次に、ユーザーがビデオボタン２０を選択すると、図４に示す日付メニュー２４が表示され、次に何れかの日付ボタン２２を押下することにより、図４に示す素材メニュー２７が表示される。そして、何れかの選択ボタン２５を押下することにより、各映像素材を視聴することができる。
【０１８１】
以上のように、本実施形態によれば、煩雑なシナリオ情報またはメニュー情報の作成を行うことなく、自動的に光ディスクを作成することができるので、光ディスクの作成処理における高効率化を図ることができるだけでなく、光ディスクのフォーマット等についての詳しい知識を有していない者が操作を行ったとしても、確実に光ディスクを作成できるという利点を有している。
【０１８２】
（第２の実施形態）
次に、本発明の第２の実施形態を図６及び図７に基づいて説明する。なお、第１の実施形態との共通箇所には同一符号を付して説明を省略する。
【０１８３】
本実施形態は、映像素材が、図６に示すように、一定時間毎に区切られていないところが、第１の実施形態と異なる。
【０１８４】
映像素材が、図６に示すようにタイムコード情報の区切りのみを有し、一定時間毎の区切りを有していない場合には、第１の実施形態のように一定時間毎の先頭フレーム画像を各映像素材の選択ボタン２５の画像として用いることができない。
【０１８５】
そこで、本実施形態では、制御部１０に備えられた内部タイマを用いて、映像素材の再生時間を監視し、再生時間が一定時間になった場合にＶＣＲ５を一時停止させ、ここまでの期間を映像素材の区切りとするものである。
【０１８６】
以下、本実施形態における情報作成処理を図７のフローチャートに基づいて説明する。
なお、図７においては、図５に示すフローチャートと同じ処理については、同じステップ番号を付している。図７のフローチャートと図５のフローチャートの異なる点は、図５のフローチャートにおいては、ステップＳ１６においてタイムコード情報に基づいて一定時間の経過を判定したのに対し、図７のフローチャートにおいては、ステップＳ２５において、制御部１０のタイマーが一定時間になったか否かで一定時間の経過を判定しているところである。また、映像素材のデジタル化処理及びイメージデータ作成開始処理（ステップＳ１０）の前には、制御部１０のタイマー時間のクリア処理（ステップＳ２４）が加えられている。
【０１８７】
従って、本実施形態においては、映像素材の選択ボタン２５の作成処理（ステップＳ８〜Ｓ９）と並行して、映像素材のデジタル化処理及びイメージデータ作成開始処理を行うが（ステップＳ１０）、この映像素材のデジタル化処理及びイメージデータ作成開始処理の前には、制御部１０のタイマー時間をクリアし（ステップＳ２４）、制御部１０にてタイマーを監視しながら、前記映像素材の選択ボタン２５の作成処理と映像素材のデジタル化処理及びイメージデータ作成処理を繰り返す。そして、制御部１０のタイマーが一定時間に達した場合には（ステップＳ２５）、制御部１０はＶＣＲ５を一時停止させ（ステップＳ１７）、映像素材のデジタル化処理を終了させる（ステップＳ１７）。その他の処理については、第１の実施形態と同様である。
【０１８８】
このように、本実施形態においては、第１の実施形態と同様な効果を奏するだけでなく、映像素材自体が一定時間に区切られていない場合でも、煩雑なシナリオ情報またはメニュー情報の作成を行わずに自動的に光ディスクを作成することができるので、一般のユーザーが撮影した映像素材をそのまま使用することができるという利点を有している。
【０１８９】
（第３の実施形態）
次に、本発明の第３の実施形態を図８及び図９に基づいて説明する。なお、第１の実施形態との共通箇所には、同一符号を付して説明を省略する。
【０１９０】
本実施形態は、第１の実施形態または第２の実施形態を用いて作成したメニュー情報と映像素材を再利用して光ディスクを作成する場合において、当該メニュー情報と映像素材を管理する方法及び装置に関するものである。
【０１９１】
第１の実施形態または第２の実施形態の情報作成処理により、多数の映像素材について多数の光ディスクを作成していくと、上述のように作成したメニュー情報が多数蓄積されていくことになる。従って、同じメニュー情報及び映像素材を用いれば、２度目以降の光ディスク作成処理は、第１の実施形態または第２の実施形態の場合よりも更に簡易に行うことができる。
【０１９２】
しかしながら、蓄積されたメニュー情報の数が膨大になると、当該メニュー情報の作成に用いた映像素材の記録されたビデオテープを探し出すのは極めて困難であり、効率の良い光ディスクの作成処理を行うことが出来なくなってしまう。
【０１９３】
そこで、本実施形態では、第１の実施形態または第２の実施形態の情報作成処理を用いて光ディスクを作成する以前に、予めビデオテープの内容が判る素材リストを作成しておき、２度目以降の光ディスク作成処理を容易に行おうとするものである。以下、本実施形態の情報管理処理を図８及び図９を用いて説明する。なお、図９のフローチャートにおいて、図５及び図７のフローチャートと同じ処理については同一の符号を付して説明を省略する。
【０１９４】
本実施形態の処理が、第１の実施形態及び第２の実施形態と異なる第１の点は、ビデオボタンを作成し（ステップＳ１）、ビデオテープの頭出し処理（ステップＳ２）を行った後のＶＣＲ５の再生を、高速再生により行う（ステップＳ３０）ところである。これは、本実施形態の管理処理が、素材リストとメニュー情報を作成することを目的としているためである。従って、映像素材のデジタル化処理及びディスクイメージの作成処理は、本実施形態の管理処理が終了した後に行われる。
【０１９５】
高速再生しながら、日付メニュー２４を作成し（ステップＳ４〜Ｓ５）、日付ボタンを作成し（ステップＳ６）、更に映像素材の選択メニュー２７及び選択ボタン２５を作成していく（ステップＳ７）のは、上述した実施形態と同様である。
【０１９６】
但し、本実施形態の処理と上述した実施形態の処理との第２の相違点は、映像素材のタイムコード情報を入力した時に、タイムコード情報から日付情報を入力するだけでなく、当該映像素材の開始時間（フレームＩＮ点）を入力し、これらの日付情報及び開始時間を記憶させておく点である（ステップＳ３１）。
【０１９７】
そして、本実施形態の処理と上述した実施形態の処理との第３の相違点は、一定時間経過後に（ステップＳ１０またはＳ２５：はい）、タイムコード情報を入力し、この時点を当該映像素材の終了時間（フレームＯＵＴ点）として記憶させておく点である。
【０１９８】
更に、本実施形態の処理と上述した実施形態の処理との第４の相違点は、ビデオ映像の再生が終了し、ＶＣＲ５を停止させた（ステップＳ２２）後に、図８に示すような素材リスト２９を作成して保存し（ステップＳ３２）、また、各素材リスト２９に対応付けてメニュー構成図データ３３を保存し（ステップＳ３３）、更に素材リスト２９にＩＤ番号３４を登録する（ステップＳ３４）という点である。
【０１９９】
素材リスト２９には、図８に示すように、映像素材の選択ボタン２５に相当する先頭フレーム画像３０と、前記日付情報３１と、開始時間３２と、終了時間２９と、ＩＤ番号３４とが含まれる。
【０２００】
また、メニュー構成図データ３３は、上述の実施形態で作成したものと同様である。
【０２０１】
本実施形態によれば、カセットテープをＶＣＲ５にセットするだけで、自動的に以上のような素材リスト２９及びメニュー構成図３３を表示部１６に表示させるので、ビデオテープの内容を容易に把握することが可能となる。また、保存された素材リスト２９には、ＩＤ番号３４が付加されるので、ビデオテープの数が膨大になった場合でも、ビデオテープに対応する素材リスト２９を迅速に検索することができる。また、各素材リスト２９には、メニュー構成図データ３３が対応付けられて保存されているので、上述した実施形態による光ディスクへの書き込み処理を効率良く行うことができる。
【０２０２】
また、本実施形態では、前記素材リスト２９及びメニュー構成図データ３３を表示部１６に表示させるだけでなく、プリンターに出力するようにして良い。
【０２０３】
（第４の実施形態）
次に、本発明の第４の実施形態を図１０ないし図１３に基づいて説明する。なお、上述した実施形態との共通箇所には、同一符号を付して説明を省略する。
【０２０４】
本実施形態は、第３の実施形態で作成した素材リスト２９及びメニュー構造図データ３３を用いて、光ディスクへの情報の書き込み処理を行うものである。
【０２０５】
本実施形態の前提として、第３の実施形態による素材リスト２９及びメニュー構造図データ３３の作成が既に行われており、各ビデオテープには、前記素材リスト２９に付加したＩＤ番号３４が、図１０に示すように、バーコードテープ３５としてカセットテープ３６に貼付されている。また、本実施形態の情報作成装置に備えられたＶＣＲ５は一台であり、使用するビデオテープは複数本であるとする。
【０２０６】
また、本実施形態の情報作成装置には、図１０１０に示すように、バーコードリーダ７が備えられている。
【０２０７】
以下、図１３に示すフローチャートに基づいて、本実施形態の情報作成処理について説明する。
【０２０８】
まず、光ディスクの制作者は、入力操作部１７による操作を行い、本実施形態の情報作成プログラムを起動させる。すると、情報出力部１３は、図８に示す素材リスト２９を表示部１６に表示させる。光ディスクの制作者は、表示部１６に表示された素材リスト２９のフレーム画像３０を参照しながら、作成したい作品を入力操作部１７による操作を行って選択する（ステップＳ４０）。
【０２０９】
次に、制御部１０は、選択された素材リスト２９をハードディスクから読み込み（ステップＳ４１）、更にこの素材リスト２９に対応付けられたメニュー構成図データ３３をハードディスクから読み込む（ステップＳ４２）。
【０２１０】
次に、情報出力部１３は、前記選択された素材リスト２９に付加されたＩＤ番号３４を読み取り、表示部１６に、図１１に示すように当該ＩＤ番号３４を有するビデオテープのセットを促す表示を行う（ステップＳ４３）。
【０２１１】
これにより、光ディスクの制作者は、複数本のビデオテープの中から何れかのビデオテープを選択し、バーゴードリーダー７により、このビデオテープに貼付けられたバーゴードテープ３５を読み取り、制御部１０は、読み取った情報を入力する（ステップＳ４４）。
【０２１２】
そして、前記素材リスト２９に付加されたＩＤ番号３４と、バーゴードテープ３５のＩＤ番号とを比較し（ステップＳ４５）、一致していなければ、情報出力部１３により、図１２に示すようにビデオテープの確認表示を表示部１６に行わせる（ステップＳ４６）。
【０２１３】
光ディスクの制作者は、この表示に従って、ビデオテープを確認し、間違ったビデオテープを使用した場合には、図１２の表示における「キャンセル」のボタンを入力操作部１７により選択する。この選択結果を検知した制御部１０は（ステップＳ４７：いいえ〜ステップＳ４８：はい）、再び情報出力部１３により図１１１１のビデオテープのセットを促す表示を表示させる。
【０２１４】
一方、セットしたビデオテープが正しいテープであった場合（ステップＳ４５：はい）、あるいは図１２の確認表示に基づいて光ディスクの制作者が「ＯＫ」を選択した場合には（ステップＳ４７：はい）、制御部１０は、ＶＣＲ５を制御して、ビデオテープの巻き戻しと、頭出し処理を行わせ、ビデオ映像を再生させる（ステップＳ４９）。そして、上述した実施形態と同様に、デジタル変換部１１とディスクデータ作成部１４は、映像素材のデジタル化処理と、ディスクイメージの作成処理を開始する（ステップＳ５０）。
【０２１５】
また、デジタル変換部１１は、ビデオ映像に書き込まれているタイムコード情報を入力しながら（ステップＳ５１）、一定時間になったか否かを判定し（ステップＳ５２）、一定時間になった場合には、制御部１０にＶＣＲ５を一時停止させる（ステップＳ５３）。
そして、デジタル変換部１１は、素材のデジタル化を終了し（ステップＳ５４）、ビデオテープの再生が終了した否かを判定する（ステップＳ５５）。その結果、終了していない場合には、制御部１０により再びＶＣＲ５を再生させ（ステップＳ５６）、映像素材のデジタル化とディスクイメージの作成処理を継続する（ステップＳ５０）。
【０２１６】
なお、ここで、映像素材が複数のビデオテープに跨っている場合には、情報出力部１３は、次のビデオテープの素材リスト２９を読み込み、当該素材リスト２９のＩＤ番号３４を読み込んで、図１１に示すビデオテープのセットを促す表示を行う（ステップＳ４３）。
【０２１７】
一方、当該作品に係るビデオ映像の再生が終了した場合には（ステップＳ５５：はい）、制御部１０はＶＣＲ５を停止させる（ステップＳ５７）。そして、ディスクデータ作成部１４は、光ディスク書き込み部１９に対してディスクイメージデータを出力し、光ディスク書き込み部１９により光ディスクへの書き込み処理を行わせる（ステップＳ５８）。
【０２１８】
以上のように、本実施形態によれば、ビデオテープの本数が膨大な数に上る場合でも、効率良く光ディスクの作成処理を行うことができる。また、本実施形態によれば、ビデオテープの内容をしらない操作者であっても、表示部１６に表示される指示に従って操作を行えば、適切に光ディスクの作成を行うことができる。
【０２１９】
なお、情報出力部１３により、図１１または図１２の指示表示を行わせる場合には、表示と同時にビープ音を出力させるようにしても良い。
【０２２０】
（第５の実施形態）
次に、本発明の第５の実施形態を図１４ないし図１６に基づいて説明する。なお、上述した実施形態との共通箇所には、同一符号を付して説明を省略する。
【０２２１】
本実施形態は、図１４に示すように、複数台のＶＣＲ５と、ＶＣＲ５の切替器８とを備えており、複数本のビデオテープを用いて１枚の光ディスクを作成する情報作成処理を行うものである。
【０２２２】
以下図１６のフローチャートに基づいて、本実施形態の情報作成処理を説明する。なお、図１６のフローチャートにおいては、図１３のフローチャートと同一の処理に対して図１３と同一の符号を付している。以下の説明においても図１３の説明と重複する部分については説明を省略する。
【０２２３】
本実施形態の処理が第４の実施形態の処理と異なる点は、まず、素材リストファイルを読み込み（ステップＳ４１）、メニュー構造図データを読み込んだ（ステップＳ４２）後に、情報出力部１３により行うビデオテープのセットを促す表示の内容についてである。本実施形態においては、複数台のＶＣＲ５が備えられているので、図１４に示すように、ビデオテープ３６のＩＤ番号だけでなく、ＶＣＲ５の番号についても指示する内容となっている。
【０２２４】
そして、この指示表示により、バーコードリーダ７を用いてビデオテープのＩＤ番号が読み込まれ（ステップＳ４４）、ＩＤ番号が正しいか否かの判定が行われ（ステップＳ４５）、正しい場合には、映像素材のデジタル化とディスクイメージ作成処理を開始するが、この処理と並行して、当該作品に次のビデオテープがあるか否かの判定を行い（ステップＳ６５）、次のビデオテープがある場合には、再び前記指示表示を行わせる（ステップＳ６０）。このようにして、全てのビデオテープをＶＣＲ５にセットさせる。なお、複数の素材リスト２９から構成されている作品については、ステップＳ４１における素材リストファイルの読み込み処理により、当該複数の素材リスト２９が読み込まれるので、次のビデオテープがあるか否かを判定することが可能である。
【０２２５】
また、第４の実施形態においては、ビデオ映像の再生が終了すると、ＶＣＲ５を停止させて光ディスクへの書き込みを行うか、あるいは次のビデオテープをセットする指示表示を行う構成であったが、本実施形態では、次のように処理を行う。ビデオ映像の再生が終了すると（ステップＳ５５：はい）、次のビデオテーブがあるか否かを判定する（ステップＳ６１）。そして、次のビデオテープがあると判定された場合には（ステップＳ６１：はい）、制御部１０により、その時まで再生させていたＶＣＲ５を停止させ（ステップＳ６２）、切替器８を制御して、ＶＣＲ５の切り替え処理を行う（ステップＳ６３）。切り替えが完了したら、当該ＶＣＲ５を再生させ（ステップＳ６４）、上述した映像素材のデジタル化とディスクイメージ作成処理を実行させる（ステップＳ４９〜Ｓ６１）。
【０２２６】
以上のように、本実施形態によれば、ビデオテープの本数が複数膨大な数に上る場合でも、複数のビデオテープを用いた光ディスクの作成処理を効率良く行うことができる。また、本実施形態によれば、ビデオテープの内容をしらない操作者であっても、表示部１６に表示される指示に従って操作を行えば、適切に光ディスクの作成を行うことができる。
【０２２７】
なお、情報出力部１３により、図１５の指示表示を行わせる場合には、表示と同時にビープ音を出力させるようにしても良い。
【０２２８】
（第６の実施形態）
次に、本発明の第６の実施形態を図１７及び図１８に基づいて説明する。
【０２２９】
本実施形態は、レート制御部１５におけるレート設定を所定の値に設定した場合に、光ディスクの総データ容量に入りきらないような量の映像素材であっても、光ディスクに適切に記録する処理を行うものである。
【０２３０】
図１７は、本実施形態における情報作成装置の構成を示すブロック図である。図１７に示すように、本実施形態における情報作成装置は、図２の素材入力部１８に相当する映像信号再生装置４０と、図２のデジタル変換部１１に相当する第１符号化手段と、図２のディスクデータ作成部１４に相当する映像データ記憶装置４２及び記録媒体４３と、図２の光ディスク書込み部１９に相当する映像ディスク作成装置４５と、映像信号の開始点と終了点を検出する検出手段４４と、映像信号の切り出し情報を記憶する切出情報記憶装置４６及び記録媒体４６’と、映像素材の全ての容量を算出する算出手段４７と、図２のレート制御部１５に相当する符号化速度設定手段４８と、符号化の開始点と終了点を設定する符号化点設定手段４９と、符号化装置設定手段５０とから構成されている。
【０２３１】
映像信号再生装置４０は、ＶＣＲ５のようにビデオテープを再生する装置であり、このビデオテープの中には、映像信号Ｖ（１）〜Ｖ（ｎ）の全ての映像信号が記録されているものとする。また、それぞれの映像信号Ｖ（ｉ）には、それぞれタイムコード情報ｔｉが書き込まれているものとする。また、映像信号再生装置４０における再生順序は、図１８（Ａ）に示すように、映像信号Ｖ（１）〜Ｖ（ｎ）の順序であるとする。
【０２３２】
検出手段４４は、タイムコード情報ｔｉに基づいて、それぞれの映像信号Ｖ（ｉ）の開始点のタイムコード情報ｔｓ（＝０）と、終了点のタイムコード情報ｔｅ（＝ｉ）を検出し、切出情報記憶装置４５へ出力する手段である。
【０２３３】
切出情報記憶装置４５は、前記検出手段から出力された開始点のタイムコード情報ｔｓと、終了点のタイムコード情報ｔｅを、ハードディスク等の記録媒体４６に、各映像信号毎に記憶させると共に、算出手段４７に出力する手段である。
【０２３４】
一方、符号化速度設定手段４８は、符号化速度Ｅｒを算出手段４７に出力する手段である。
【０２３５】
算出手段４７は、切出情報記憶装置４５から出力される全ての映像信号の開始点のタイムコード情報ｔｓと、終了点のタイムコード情報ｔｅとに基づいて、全て映像信号Ｖ（ｉ）をユニットステップ関数化する処理を行う。また、算出手段４７は、前記符号化速度設定手段４８から出力される符号化速度Ｅｒと、前記ユニットステップ関数化した映像信号Ｖ（ｉ）から、全ての映像データの総量Ｃνを算出し、符号化点設定手段４９に総量Ｃνを出力する手段である。また、算出手段４７は、符号化速度設定手段４８から出力された符号化速度Ｅｒを、符号化点設定手段４９と符号化装置設定手段５０に出力する手段である。
【０２３６】
一方、映像ディスク作成装置４３は、光ディスクに映像データを記録すると共に、使用される光ディスクの記録許容量Ｃｄを符号化点設定手段４９に出力する手段である。
【０２３７】
符号化点設定手段４９は、前記算出手段４７から出力される映像信号のデータ総量Ｃνと、前記映像ディスク作成装置４３から出力される光ディスクの記録許容量Ｃｄとに基づいて、後述する所定の演算を行い、符号化装置設定手段５０に対して、符号化開始時間ａと、符号化終了時間ｂとを出力する手段である。
【０２３８】
符号化装置設定手段５０は、算出手段４７を介して出力された符号化速度Ｅｒと、前記符号化点設定手段４９から出力された符号化開始時間ａ及び符号化終了時間ｂに基づいて、第１符号化装置４１による符号化処理の条件を設定する手段である。
【０２３９】
第１符号化装置４１は、前記符号化装置設定手段５０により設定された条件に従って、映像信号再生装置４０から出力される映像信号Ｖ（ｉ）を、映像データＣ‘（ｉ）として符号化し、映像データ記憶装置４２に出力する手段である。
【０２４０】
映像データ記憶装置４２は、前記第１符号化装置４１から出力される映像データＣ‘（ｉ）を、記録媒体４３に記憶させると共に、映像ディスク作成装置４３に出力させる装置である。
【０２４１】
以上のような各装置及び手段によって構成される本実施形態の情報作成装置における情報作成処理について説明する。
【０２４２】
まず、映像信号再生装置４０により、映像信号Ｖ（１）〜Ｖ（ｎ）が再生され、出力されると、検出手段４４は、各映像信号Ｖ（ｉ）のタイムコード情報ｔｉに基づいて、開始点のタイムコード情報ｔｓ（＝０）と、終了点のタイムコード情報ｔｅ（＝ｉ）を検出し、切出情報記憶装置４５へ出力する。
【０２４３】
次に、切出情報記憶装置４５は、前記検出手段４４から出力された開始点のタイムコード情報ｔｓと、終了点のタイムコード情報ｔｅを、ハードディスク等の記録媒体４６に、各映像信号毎に記憶させ、算出手段４７に出力する。
【０２４４】
次に、算出手段４７は、前記検出手段４４から出力された開始点のタイムコード情報ｔｓと、終了点のタイムコード情報ｔｅに基づいて、映像信号Ｖ（ｉ）のユニットステップ関数化を次のように行う。
【０２４５】
【数１】
Ｕ−１（ｔｉ）＝ｖ（ｉ） … （１）
ここで、Ｕ−１（ｔｉ）は、ユニットステップ関数を表す。ユニットステップ関数とは、Ｖ（ｉ）＞０となる時に値が１となる関数であり、開始点のタイムコード情報ｔｓから終了点のタイムコード情報ｔｅまでの期間は、値が１となる。
【０２４６】
ここで、映像信号Ｖ（ｉ）を第１符号化装置４１によって映像データＣ（ｉ）へ符号化したとすると、映像データＣ（ｉ）は、ユニットステップ関数と符号化速度Ｅｒを用いて次のように表すことができる。
【０２４７】
【数２】
Ｃ（ｉ）＝Ｕ−１（ｔｉ）×Ｅｒ … （２）
従って、全ての映像データの総量をＣνとすると、総量Ｃνは次のように表される。
【０２４８】
【数３】
0003783467.tif 000002
ここで、映像ディスク作成装置４３から出力されるディスク記録許容量をＣｄとすると、
【０２４９】
【数４】
Ｃν≦Ｃｄ … （４）
が成り立つ時に、全ての映像データを光ディスクに記録できることになる。従って、映像データの総量Ｃνが、ディスク記録許容量Ｃｄを超える場合には、光ディスクに全ての映像データを記録することができない。そこで、本実施形態では、図１８（Ｂ）に示すように、ビデオ映像Ｖ（ｉ）の開始から時刻ａまでの期間と、時刻ｂから終了までの期間をカットする処理を行う。これは、映像信号において重要な部分は、再生開始直後と終了直前の期間を除いた期間に存在するという考えに基づくものである。
【０２５０】
ここで、図１８（Ｂ）における時刻ａの点と、時刻ｂの点でカットを行うとすると、カット後の映像信号Ｖ‘（ｉ）は、次式で表される。
【０２５１】
【数５】
Ｖ‘（ｉ）＝Ｕ−１（ｔｉ−ａ）−Ｕ−１（ｔｉ−ｂ）ｔｉ≧０ … （５）
また、ここで、カット期間を再生開始直後と終了直前で同期間とし、更に、本実施形態では、このカット期間τを、図１８（Ｂ）〜（Ｅ）に示すように、映像信号Ｖ（ｉ）の長さに拘わらず一定とする。その結果、カット期間τは、次のようになる。
【０２５２】
【数６】
τ＝（ｔｉ−ａ）＝（ｔｉ−ｂ） … （６）
次に、カット期間τによりカットした後の映像データをＣ’（ｉ）とすると、（２）式より、
【０２５３】
【数７】
Ｃ’（ｉ）＝（Ｕ−１（ｔｉ）−２τ）×Ｅｒ… （７）
となる。また、カット後の映像データの総量をＣ’νとすると、（３）式より、
【０２５４】
【数８】
0003783467.tif 000003
【０２５５】
（８）式より、カット期間τは次のようになる。
【０２５６】
【数９】
0003783467.tif 000004
【０２５７】
従って、（９）式の右辺が正の値である場合には、その値のカット期間τによりカット処理を行い、（９）式の右辺が負の値である場合には、カット処理を行わずに、符号化を行えば良いことが判る。
【０２５８】
そこで、本実施形態では、算出手段４７により、ユニットステップ関数化した映像信号Ｖ（ｉ）の１〜ｎまでの加算を行い、この結果を符号化点設定手段４９に出力する。
【０２５９】
そして、符号化点設定手段４９においては、前記加算結果と、算出手段４７から出力される符号化速度Ｅｒと、映像ディスク作成装置４３から出力されるディスク記録許容量Ｃｄに基づいて、前記（９）式の演算を行い、カット期間τを算出する。更に、符号化点設定手段４９は、このカット期間τから求められる符号化開始時間ａと、符号化終了時間ｂとを符号化装置設定手段５０に出力する。
【０２６０】
符号化装置設定手段５０は、算出手段４７を介して出力された符号化速度Ｅｒを、第１符号化装置４１に設定すると共に、前記符号化点設定手段４９から出力された符号化開始時間ａと符号化終了時間ｂを設定する。
【０２６１】
第１符号化装置４１は、前記符号化装置設定手段５０により設定された符号化開始時間ａから、符号化速度Ｅｒで符号化を開始し、符号化終了時間ｂで符号化を終了させる。
【０２６２】
従って、映像信号Ｖ（ｉ）は、カット期間τにおいてカット処理が施され、カットされた映像データＣ’（ｉ）として、映像データ記憶装置４２により記録媒体４３に記録され、また、映像ディスク作成装置４３に出力される。そして、映像ディスク作成装置４３においては、主要部分の映像データＣ’（ｉ）を光ディスクに記録する。その結果、映像信号が光ディスクの記録許容量を超える場合であっても、適切に光ディスクへの書き込みが行われることになる。
【０２６３】
以上のように本実施形態によれば、光ディスクの記録許容量に拘わらず、映像信号を自動的にカットして、主要部分を当該光ディスクに記録することができる。
【０２６４】
（第７の実施形態）
次に、本発明の第７の実施形態を図１９及び図２０に基づいて説明する。なお、第６の実施形態との共通箇所には同一符号を付して説明を省略する。
【０２６５】
第６の実施形態においては、符号化速度を一定として、映像信号のカット処理を行ったが、本実施形態においては、映像データの総量が光ディスクの記録許容量以下となるように、符号化速度を設定する処理を行うものである。
【０２６６】
図１９は、本実施形態の情報作成装置の構成を示すブロック図である。なお、図１７との共通箇所には同一符号を付してある。
【０２６７】
本実施形態の情報作成装置は、図１９に示すように、映像再生装置４０と、符号化装置４１と、ディスク記録許容量設定手段５１と、符号化速度設定手段５２と、書き込み時間設定手段５３と、ディスク書込み部１９とから構成される。
【０２６８】
ディスク書込み部１９は、信号処理回路５４と、信号書き込み読み出し回路５５と、光ピックアップ５６と、サーボ回路５７と、スピンドルモータ駆動回路５８と、スピンドルモータ５９と、光ディスク６０とからなる。
【０２６９】
映像信号再生装置４０は、第６の実施形態と同様に、映像信号を出力する装置である。
【０２７０】
符号化装置４１は、第６の実施形態と同様に、映像信号を符号化して映像データを出力する装置である。
【０２７１】
ディスク記録許容量設定手段５１は、光ディスクの記録許容量Ｃｄｓｋを設定する手段である。
【０２７２】
書き込み時間設定手段５３は、書き込み時間Ｔｒを設定する手段である。
【０２７３】
符号化速度設定手段５２は、前記光ディスクの記録許容量Ｃｄｓｋと、光ディスク書込み部１９から出力される記録済みの映像データ量Ｃｒｅｃと、前記書き込み時間Ｔｒとから、符号化速度Ｅｒを算出する手段である。
【０２７４】
信号処理回路５４は、映像データを光ディスクの記録方式に従って、変調及びインターリーブ等の処理を施すと共に、逆に復調とデインターリーブ等の処理を施す回路である。
【０２７５】
信号書き込み読み出し回路５５は、信号処理回路５４からの信号により、光ピックアップ５６から出力されるレーザ光を変調し、光ディスク６０への信号の書き込みを制御する回路である。また、信号書き込み読み出し回路５５は、光ピックアップ５６による読み取り信号を再生信号として信号処理回路５４に出力する回路である。
【０２７６】
光ピックアップ５６は、レーザーダイオード及び対物レンズ等を備えてレーザ光の照射を行う手段である。
【０２７７】
サーボ回路５７は、信号書き込み読み出し回路５５からの出力に基づいて、スピンドルモータ駆動回路５８にサーボ信号を出力する回路である。
【０２７８】
スピンドルモータ駆動回路５８は、サーボ回路５７からのサーボ信号に基づいて、スピンドルモータ５９を駆動させる回路である。
【０２７９】
スピンドルモータ５９は、スピンドルモータ駆動回路５８からの駆動信号に基づいて、光ディスク６０を回転させる手段である。
【０２８０】
以上のような各装置及び手段によって構成される、本実施形態の情報作成装置における情報作成処理を図２０のフローチャートに基づいて説明する。
【０２８１】
まず、映像信号再生装置４０から、映像信号が出力されると、ディスク記録許容量設定手段５１により、ディスク記録許容量Ｃｄｓｋが出力される（ステップＳ７０）。
【０２８２】
次に、信号書き込み読み出し回路５５からサーボ回路５７に対して制御信号が出力され、光ディスクの再生処理が行われる。再生信号は、信号書き込み読み出し回路５５から信号処理回路５５を経て、符号化速度設定手段５２に入力され、符号化速度設定手段５２は、この再生信号から、既に記録済みの映像データ量Ｃｒｅｃを読み出す（ステップＳ７１）。ここで、光ディスクに何も記録されていない場合には、映像データ量Ｃｒｅｃ＝０である。
【０２８３】
次に、符号化速度設定手段５２において、光ディスクへ書き込み可能なデータの残量Ｃｒｅｍを次式により求める（ステップＳ７２）。
【０２８４】
【数１０】
Ｃｒｅｍ＝Ｃｄｓｋ−Ｃｒｅｃ … （１０）
次に、符号化速度設定手段５２は、書き込み時間設定手段５３により出力される、光ディスクへの要求書き込み時間Ｔｒｅｑを入力する（ステップＳ７３）。
【０２８５】
なお、この要求書き込み時間Ｔｒｅｑは、予め所定の値を設定しても良いし、前記（１０）から求めた光ディスクへ書き込み可能なデータの残量Ｃｒｅｍに基づいて適切な値を算出しても良い。
【０２８６】
次に、符号化速度設定手段５２は、前記光ディスクへ書き込み可能なデータの残量Ｃｒｅｍと、要求書き込み時間Ｔｒｅｑとにもどいて、次式により符号化速度Ｅｒを算出する（ステップＳ７４）。
【０２８７】
【数１１】
Ｅｒ＝Ｃｒｅｍ／Ｔｒｅｑ … （１１）
次に、符号化速度設定手段５２は、算出した符号化速度Ｅｒを符号化装置４１に設定する（ステップＳ７５）。これにより、符号化装置４１においては、適切な符号化速度Ｅｒにより符号化が行われる。
【０２８８】
以上のように、本実施形態によれば、適切な符号化速度Ｅｒにより符号化を行うことができるので、映像データを確実に光ディスクに記録することができる。
【０２８９】
（第８の実施形態）
次に、本発明の第８の実施形態を図２１ないし図２６に基づいて説明する。なお、上述した実施形態との共通箇所には同一符号を付して説明を省略する。
【０２９０】
本実施形態は、映像素材毎に映像データを示すことにより、光ディスクの制作者に、各映像データ毎の符号化速度を決定させる処理を行うものである。
【０２９１】
ここで、本実施形態における情報作成処理の原理について説明する。
【０２９２】
まず、映像信号Ｖｉの開始時間をＴｉ１、終了時間をＴｉ２とし、開始時間Ｔｉ１と終了時間Ｔｉ２で囲まれた区間をＴｉとする時、Ｔｉは次式で表される。
【０２９３】
【数１２】
Ｔｉ＝Ｔｉ２−Ｔｉ１ … （１２）
映像データＣｉは、映像信号Ｖｉを符号化速度Ｅｒで符号化したものであり、次式で与えられる。
【０２９４】
【数１３】
Ｃｉ＝ＴｉＸＥｒｉ … （１３）
従って、映像データＣｉの容量は、区間Ｔｉ、符号化速度Ｅｒｉに比例するため、映像データＣｉの容量は次式で与えられる。
【０２９５】
【数１４】
Ｃｉ∝（Ｔｉ，Ｅｒｉ） … （１４）
前記（１３）式、より全ての映像データＣｉの合計である映像データ総量Ｃνは、次式により表される。
【０２９６】
【数１５】
0003783467.tif 000005
【０２９７】
従って、ディスク容量の残量Ｃｒは、ディスク記録許容容量をＣｄとすると、次式で与えられる。
【０２９８】
【数１６】
Ｃｒ＝Ｃｄ−Ｃν … （１６）
以上のように、符号化速度Ｅｒｉを変更することにより、区間Ｔｉの短縮を行わなくとも、映像データＣｉの容量を変更することができるので、本実施形態においては、光ディスクの制作者に符号化速度Ｅｒｉを入力させることにより、映像データＣｉの容量を、ディスク記録許容容量Ｃｄ以内となるように変更する構成とした。
【０２９９】
以下、本実施形態における具体的な処理について説明する。図２１は、本実施形態における情報作成装置の構成を示すブロック図である。図２１に示すように、本実施形態の情報作成装置は、映像信号再生装置４０と、符号化装置６１と、切替えスイッチ６２と、映像データ記憶装置４２と、記録媒体４３と、映像ディスク作成装置４５と、タイムコード検出手段６８と、補助記憶装置６６と、記録媒体６７と、符号化制御部６５と、入力操作部１７と、ディスク記録許容量と符号化速度の入力手段６３と、表示部１６と、復調装置６４とから構成されている。
【０３００】
符号化装置６１は、通常の符号化だけでなく、符号化制御部６５により設定された符号化速度及びタイムコード情報に基づいて映像素材の先頭と最後の画像のみの符号化を行い、符号化後の先頭画像と最後の画像を出力する装置である。
【０３０１】
符号化制御部６５は、入力手段６３から入力したディスク記録許容量と符号化速度、及び補助記憶装置６６から読み込んだタイムコード情報、映像データ量等を表示部１６に表示させる手段である。また、符号化制御部６５は、映像再生装置４０の制御と、符号化装置６１の符号化速度及び符号化期間の設定を行う手段である。更に、符号化制御部６５は、符号化後の先頭画像及び最後の画像を復調装置６４に出力する装置である。
【０３０２】
タイムコード検出手段６８は、映像信号再生装置４０から出力される映像信号に書き込まれたタイムコード情報を検出し、タイムコード情報を補助記憶装置６６に出力する手段である。
【０３０３】
補助記憶装置６６は、符号化装置６１から出力される符号化後の先頭画像及び最後の画像、並びにタイムコード検出手段６８から出力されたタイムコード情報、並びに符号化制御部６５から出力される符号化速度、ディスク記録許容量を記録媒体６７に記憶させる装置である。
【０３０４】
復調装置６４は、符号化制御部６５から出力される符号化後の先頭画像及び最後の画像を復調して、表示部１６に表示させる装置である。
【０３０５】
以下、図２２及び図２３のフローチャート並びに図２４ないし図２６を参照しながら、本実施形態の情報作成装置における情報作成処理について説明する。
【０３０６】
まず、光ディスクの制作者が、入力操作部１７の操作により、本実施形態における情報作成プログラムを起動させると、符号化制御部６５は、表示部１６に図２４に示すようなデータ設定シート８０を表示させる。この段階では、データ設定シートの各表示欄には、符号化速度の表示入力欄７３の符号化速度表示領域７５、ディスク容量の残量表示欄７４の残量表示領域７６を除いて何も表示されていない。但し、符号化速度の表示入力欄７３の符号化速度表示領域７５と、ディスク容量の残量表示欄７４の残量表示領域７６には、全て初期値が表示されている。
【０３０７】
このような状態で、本実施形態における情報作成処理が開始される。まず、符号化制御部６５は、入力手段６３により、データ設定シート８０のディスク容量の残量表示欄７４の残量表示領域７６に表示された残量の初期値、即ちディスク記録許容量Ｃｄを入力し、補助記憶装置６６により記録媒体６７に保存させる（ステップＳ８０）。
【０３０８】
次に、符号化制御部６５は、入力手段６３により、データ設定シート８０の符号化速度の表示入力欄７３の符号化速度表示領域７５に表示された符号化速度Ｅｒｉの初期値を入力し、補助記憶装置６６により記録媒体６７に保存させる（ステップＳ８１）。
【０３０９】
次に、符号化制御部６５は、切替スイッチ６２をＳＷ２側に切り替えさせる（ステップＳ８２）。
【０３１０】
そして、符号化制御部６５は、変数ｉを１にセットして（ステップＳ８３）、映像信号再生装置４０に対し、再生開始指示信号Ｓ１を出力し、再生の開始を指示する（ステップＳ８４）。
【０３１１】
これにより、映像信号再生装置４０は、映像信号Ｖ（１）〜Ｖ（ｎ）の再生を開始する（ステップＳ８５）。次に、変数ｉの値に基づいて、映像信号が終了したか否かを判定し（ステップＳ８６）、終了していない場合には、タイムコード検出手段６８から出力される映像素材の先頭タイムコード情報Ｔｉ１と、符号化装置６１からのタイムコード情報Ｔｉ１の時の符号化された映像データＣｉ（Ｔｉ１）を補助記憶装置６６により記録媒体６７に保存させる（ステップＳ８７）。次に、タイムコード検出手段６８から出力される最後のタイムコード情報Ｔｉ２と、タイムコード検出手段６８から出力される映像素材の最後のタイムコード情報Ｔｉ２と、符号化装置６１からのタイムコード情報Ｔｉ２の時の符号化された映像データＣｉ（Ｔｉ２）を補助記憶装置６６により記録媒体６７に保存させる（ステップＳ８８）。次に、変数ｉをインクリメントして（ステップＳ８９）、以上のように映像素材の先頭及び最後のタイムコードと、符号化後の先頭画像及び最後の画像を、全ての映像信号について求め、補助記憶装置６６により記録媒体６７に保存させる。
【０３１２】
映像信号が終了した場合には、全ての映像信号についての、前記先頭のタイムコードＴｉ１、及び最後のタイムコードＴｉ２、先頭の映像データＣｉ（Ｔｉ１）、最後の映像データＣｉ（Ｔｉ２）と、初期値としての符号化速度Ｅｒｉ、ディスク記録許容量Ｃｄを、補助記憶装置６６を介して記録媒体６７から読み込む（ステップＳ９０）。そして、前記（１３）式により映像データの総量Ｃνを算出する。
【０３１３】
更に、この総量Ｃνを前記ディスク記録許容量Ｃｄから減算してディスクの残量を求める（ステップＳ９１）。
【０３１４】
次に、全ての映像信号についての、前記先頭のタイムコードＴｉ１、及び最後のタイムコードＴｉ２、先頭の映像データＣｉ（Ｔｉ１）、最後の映像データＣｉ（Ｔｉ２）と、初期値としての符号化速度Ｅｒｉ、ディスク残量を、表示部１６のデータ設定シート８０に表示させる（ステップＳ９２）。なお、先頭の映像データＣｉ（Ｔｉ１）と最後の映像データＣｉ（Ｔｉ２）については、復調装置６４により復調を行った後に表示させる。
【０３１５】
図２４はこの段階でのデータ設定シート８０の表示内容を示している。図２４に示すように、データ設定シート８０には、映像信号の表示欄６９、映像データの表示欄７０、タイムコードの表示欄７１、復調後の先頭画像と最後の画像の表示欄７２、符号化速度の表示入力欄７３、及びディスク残量の表示入力欄７４が設けられている。このような表示を行うことにより、光ディスクの制作者に対し、それぞれの映像データの撮影日時、及び映像の内容を認識させることができる。その結果、光ディスクの制作者は、それぞれの映像データの種類または属性に応じて符号化速度を決定することができる。
【０３１６】
光ディスクの制作者は、それぞれの映像データの符号化速度を決定すると、符号化速度の表示入力欄７３における符号化速度表示領域７５に表示された値を、入力操作部１７を用いて書き換える。
【０３１７】
書き換えが行われると、符号化制御手段６５は、入力手段６３を介して、書き換えられた各映像データの符号速度値Ｅｒｉを入力し（ステップＳ９３）、この符号化速度値Ｅｒｉを用いて、再び前記（１２）によりディスク残量を算出する（ステップＳ９４）。そして、その結果を、補助記憶装置６６により記録媒体６７に保存させると共に、表示部１６のデータ設定シート８０のディスク残量表示領域７６に表示させる。そして、残量が負の値になるか否かを判定し（ステップＳ９６）、負の値になる場合には、ディスク残量表示領域７６の表示を元に戻して、再度符号化速度を入力させる（ステップＳ９６〜Ｓ９３）。このように、ディスク残量が正の値になるまで、符号化速度を入力させる。図２５R>５に、符号化速度を適正に入力した場合のデータ設定シート８０を示す。図２５に示すように、ディスク残量は５０Ｍｂｙｔｅであり、全ての映像データを確実に光ディスクに書き込むことができる。また、図２５に示すように、符号化速度は各映像データ毎に異なる値に設定されている。
【０３１８】
次に、符号化制御部６５は、切替スイッチ６２をＳＷ１側に切り替えさせ（ステップＳ９７）、変数ｉを１にセットする（ステップＳ９８）。そして、映像信号再生装置４０に対して、再生制御信号Ｓ１を出力し映像信号の再生を行わせる（ステップＳ１００）。
【０３１９】
次に、映像信号が終了したか否かの判定を行い（ステップＳ１０１）、終了していない場合には、補助記憶装置６６により記録媒体６７に記憶させておいた符号化速度Ｅｒｉを読み込み、符号化装置６１に出力する（ステップＳ１０２）。また、符号化制御部６５は、符号化装置６１に対してタイムコード情報Ｔｉ１、Ｔｉ２についても出力する。その結果、符号化装置６１は、各映像信号毎に、Ｔｉ２−Ｔｉ１の期間において、符号化速度Ｅｒｉで符号化を行う（ステップＳ１０３）。その結果、映像データＣｉが作成され（ステップＳ１０４）、映像データ記憶装置４２に出力される。映像データ記憶装置４２は、この映像データＣｉを記録媒体４３に保存すると共に、変数ｉをインクリメントとして、映像信号が終了するまで、上述の処理を繰り返す（ステップＳ１００〜Ｓ１０５）。
【０３２０】
そして、映像信号が終了したら、映像ディスク作成装置４５により、映像データを光ディスクに書き込み、光ディスクを作成する（ステップＳ１０７）。
【０３２１】
以上のように、本実施形態によれば、映像データの種類と属性に応じて、光ディスクの制作者自身が、符号化速度の設定を行うことができるので、画像の劣化を最小限に抑えつつ、画像映像データを確実に光ディスクに書き込むことができる。
【０３２２】
なお、本実施形態は、図２６のようなデータ設定シート８１により、符号化速度を決定させることができる。このデータ設定シート８１には、符号化後の画質の優先順位表示入力欄７７が設けられており、光ディスクの制作者は、入力操作部１７を用いて、画質の優先順位を設定することができる。例えば、カーソル７８を移動させることにより、優先順位を入力させるようにしても良い。
【０３２３】
このような構成をとることにより、光ディスクの制作者が、符号化速度をどのような値に設定すべきがが判らない場合でも、画質の優先順位を設定しただけで、符号化速度の値を適正な値に設定することができる。
【０３２４】
（第９の実施形態）
次に、本発明の第９の実施形態を図２７ないし図２９に基づいて説明する。なお、上述した実施形態との共通箇所には同一符号を付して説明を省略する。
【０３２５】
本実施形態は、映像データの動きの無い区間を検出し、当該区間をカット処理対象の候補区間として表示部に表示させ、光ディスクの制作者により選択された区間についてカット処理を行うものである。
【０３２６】
図２７は本実施形態における情報作成装置の構成を示すブロック図である。図２７に示すように、本実施形態における情報作成装置は、映像信号再生装置４０と、符号化装置４１と、映像データ記憶装置４２と、映像ディスク４５と、映像データの動き変化を検出する動き変化検出手段８２と、非変化区間を検出する非変化区間検出手段８３と、しきい値設定手段８４と、非変化区間情報記憶装置８５と、表示部１６と、映像再生区間設定手段８６と、映像信号再生制御装置８７と、ディスク記録容量検出手段８８と、ディスク記録許容量設定手段５１とから構成されている。
【０３２７】
動き変化手段８２は、フレーム画像間の輝度値及び色差の差分値を算出することにより、フレーム画像間の画像の動きを検出する手段である。例えば、ＭＰＥＧエンコーダにおいては、フレーム画像間の予測符号化を行うために動きベクトルを求めるが、この動きベクトル検出部を本実施形態の動き変化手段８２に用いることができる。
【０３２８】
非変化区間検出手段８３は、動き変化検出手段８２の検出結果である前記差分値と、しきい値設定手段８４により設定されるしきい値とを比較し、前記差分値がしきい値以下の区間を非変化区間として検出する手段である。
【０３２９】
非変化区間記憶装置８５は、各映像データ毎に、非変化区間を記憶する装置である。
【０３３０】
ディスク記録容量検出手段８８は、ディスク記録許容量設定手段５１により設定されたディスク記録許容量Ｃｄと、映像データ記憶装置４２に記憶される映像データ総量Ｃνとに基づいて、ディスク残量Ｃｄ−Ｃνを算出する手段である。
【０３３１】
表示部１６は、前記非変化区間情報記憶装置８５に記憶された非変化区間情報Ｓｉと、ディスク記録容量検出手段８８から出力されるディスク記録許容量Ｃｄと、映像データ総量Ｃνと、データ残量Ｃｄ−Ｃνとを表示させる手段である。
【０３３２】
映像再生区間設定手段８６は、前記表示部１６に表示された情報に基づいて、光ディスクの制作者が設定した映像再生区間を映像信号再生制御装置８７に出力する手段である。
【０３３３】
映像信号再生制御装置８７は、映像再生区間設定手段８６から出力される映像再生区間情報に基づいて映像信号再生装置４０に再生制御信号を出力する装置である。
【０３３４】
以上のような各装置及び手段により構成される、本実施形態の情報作成装置における情報作成処理を図２８及び図２９のフローチャートに基づいて説明する。
【０３３５】
まず、光ディスクの制作者が図示しない入力操作部を操作することにより、本実施形態における情報作成プログラムを起動させると、ディスク記録許容量設定手段５１は、ディスク記録許容量Ｃｄの設定を行う（ステップＳ１１０）。
【０３３６】
次に、映像再生区間設定手段８６は、再生区間を全区間とする映像再生区間設定情報を映像信号再生制御装置８７に出力する。これにより、映像信号再生制御装置８７は、映像信号再生装置４０に対して、全区間の再生を行わせるように再生制御信号を出力する（ステップＳ１１１）。
【０３３７】
映像信号再生装置４０から映像信号が出力されると、映像信号は符号化装置４１において符号化され（ステップＳ１１２）、映像データとして映像データ記憶装置４２に出力される。
【０３３８】
映像データ記憶装置４２は、全ての映像データを記憶して、映像データ総量Ｃνを算出する（ステップＳ１１３）。
【０３３９】
次に、ディスク記録容量検出手段８８は、前記ディスク記録許容量設定手段５１から出力されるディスク記録許容量Ｃｄと、前記映像データ記憶装置から出力される映像データ総量Ｃνとを比較することにより、ディスク残量Ｃｄ−Ｃνを算出し（ステップＳ１１４）、映像データ総量Ｃνの方が大きければ、図２９に示す処理に移行する。
【０３４０】
一方、これらの処理と並行して、動き変化検出手段８２においては、各フレーム画像間の輝度値と色差の差分値を検出し、非変化区間検出手段８３においては、この差分値と、しきい値設定手段８４により設定されたしきい値との比較を行う（ステップＳ１１７）。
【０３４１】
その結果、前記差分値がしきい値よりも大きい場合には、前記比較を繰り返す（ステップＳ１１８：ＮＯ〜ステップＳ１１７）。
【０３４２】
しかし、前記差分値がしきい値よりも小さい場合には（ステップＳ１１８：ＹＥＳ）、非変化区間検出手段８３は、非変化区間が開始されたと判断して、開始時間のタイムコード情報と、フレーム画像とを、非変化区間の開始点における非変化区間情報Ｓ（ｉ）として非変化区間情報記憶装置８５に記憶させる（ステップＳ１１９）。
【０３４３】
次に、非変化区間検出手段８３は、前記差分値と、しきい値との比較を行い（ステップＳ１２０）、その結果、前記差分値がしきい値よりも小さい場合には、未だ非変化区間が継続していると判断して、この比較処理を繰り返す（ステップＳ１２０）。
【０３４４】
そして、前記差分値がしきい値よりも大きくなった場合には（ステップＳ１２０：ＮＯ）、非変化区間が終了したものと判断して、この終了時点のタイムコードと、フレーム画像とを、非変化区間の終了点の非変化区間情報Ｓ（ｉ）として非変化区間情報記憶装置８５に記憶させる（ステップＳ１２１）。
【０３４５】
次に、非変化区間情報記憶装置８５は、非変化区間の開始点と終了点のタイムコード、及びそれぞれのフレーム画像を、非変化区間情報Ｓ（ｉ）として表示部１６に表示させる（ステップＳ１２２）。
【０３４６】
次に、図２９のフローチャートに示すように、ディスク記録容量検出手段８８は、図２８のステップＳ１１４による比較結果、即ちディスク残量Ｃｄ−Ｃνよりも映像データ総量Ｃνの方が大きいこと示す情報を表示部１６に表示させる（ステップＳ１２３）。
【０３４７】
次に、ディスク記録容量検出手段８８は、変数ｉをインクリメントして（ステップＳ１２４）、表示部１６に表示されている非変化区間情報Ｓ（ｉ）のうち、光ディスクの制作者により選択された非変化区間情報Ｓ（ｉ）を入力する（ステップＳ１２５）。そして、
【０３４８】
【数１７】
0003783467.tif 000006
【０３４９】
の演算を行い、映像データ総量Ｃνから非変化区間情報Ｓ（ｉ）をカットした後の映像データ総量Ｃν２を算出する。
【０３５０】
次に、このカット後の映像データ総量Ｃν２とディスク記録許容量Ｃｄとの比較を行い、未だカット後の映像データ総量Ｃν２の方がディスク記録許容量Ｃｄよりも大きい場合には、ステップＳ１２４からステップＳ１２７までの処理を繰り返す。
【０３５１】
次に、前記比較の結果、カット後の映像データ総量Ｃν２がディスク記録許容量Ｃｄ以内になった場合には（ステップＳ１２７）、ディスク記録容量検出手段８８は、表示部１６を介して、カット後の映像データ総量Ｃν２を新たな再生区間として映像再生区間設定手段８６に設定する（ステップＳ１２８）。
【０３５２】
次に、映像データ記憶装置４２において、現在の映像データ総量Ｃνを破棄する（ステップＳ１２９）。
【０３５３】
そして、映像信号再生制御装置８７は、カット後の映像データ総量Ｃν２を新たな再生区間とするように再生制御信号を映像信号再生装置４０に出力し、当該再生区間における映像信号の再生を行わせる（ステップＳ１３０）。
【０３５４】
そして、符号化装置４１による符号化後に、映像データ記憶装置４２は、全ての映像データの量を記憶する。
【０３５５】
再び図２８のフローチャートに戻り、映像ディスク作成装置４５は、映像データ記憶装置４２に記憶された全ての映像データを、読み込んで、光ディスクを作成する（ステップＳ１１６）。
【０３５６】
以上のように、本実施形態によれば、非変化区間をカット処理の候補区間として自動的に表示し、光ディスクの制作者によってカット処理の対象区間を選択させるので、光ディスクの制作者の制作意図に反することなく、画像映像データを確実に光ディスクに書き込むことができる。
【０３５７】
（第１０の実施形態）
次に、本発明の第１０の実施形態を図３０ないし図３４に基づいて説明する。なお、上述した実施形態との共通箇所には同一符号を付して説明を省略する。
【０３５８】
本実施形態は、音声信号のレベルが所定のしきい値以上となる期間を、符号化期間とし、この符号化期間において符号化される映像データの総量が、ディスク記録許容量以下となるように、前記所定のしきい値を決定する処理を行うものである。
【０３５９】
図３０は本実施形態の情報作成装置の構成を示すブロック図である。図３０に示すように、本実施形態の情報作成装置は、映像信号再生装置４０と、符号化装置４１と、映像データ記憶装置４２と、記録媒体４３と、映像ディスク作成装置４５と、補助記憶装置６６と、記録媒体６７と、タイムコード検出手段６８と、符号化制御部８９と、比較手段９０とから構成される。
【０３６０】
符号化制御部８９は、タイムコード検出手段６８から出力されるタイムコードを入力しつつ、比較手段９０に対してしきい値電圧を出力し、比較手段９０からのトリガ信号の出力タイミングにおけるタイムコードを補助記憶装置６６により記憶させると共に、記憶させたタイムコードから、符号化装置４１に対する符号化区間を決定し、符号化装置４１に出力する手段である。また、符号化制御部８９は、映像ディスク作成装置４５からディスク記録許容量Ｃｄを入力すると共に、映像信号再生装置４０に対して再生制御信号を出力する手段である。
【０３６１】
比較手段９０は、符号化制御部８９から出力されるしきい値電圧と、音声信号とを比較して、音声信号がしきい値電圧以上となった時、及びその後にしきい値電圧未満となった時に、トリガ信号を符号化制御部８９に対して出力する手段である。
【０３６２】
ここで、本実施形態における情報作成処理の原理について説明する。
【０３６３】
まず、映像信号Ｖｉの音声信号Ａｉの音声開始時間をＴｉ１、終了時間をＴｉ２とし、音声開始時間Ｔｉ１と終了時間Ｔｉ２で囲まれた区間をＴｉとする時、Ｔｉは次式で表される。
【０３６４】
【数１８】
Ｔｉ＝Ｔｉ２−Ｔｉ１ … （１８）
映像データＣｉは、映像信号Ｖｉと音声信号Ａｉを符号化速度Ｅｒで符号化したものであり、次式で与えられる。
【０３６５】
【数１９】
Ｃｉ＝Ｔｉ×Ｅｒ … （１９）
映像信号再生装置４０から再生される数々の映像信号Ｖｉの範囲を、Ｖ１〜Ｖｎ、及び音声信号Ａｉの範囲を、Ａ１〜Ａｎとし、音声信号Ａｉの範囲に映像信号Ｖｉの範囲が含まれると定義するならば、（１８）式、及び（１９）式より、Ｖ１〜Ｖｎを符号化した映像データＣ１〜Ｃｎの範囲は、次式で与えられる。
【０３６６】
【数２０】
0003783467.tif 000007
【０３６７】
また、映像データの総量Ｃνは次式で与えられる。
【０３６８】
【数２１】
0003783467.tif 000008
【０３６９】
従って、映像データの総量Ｃνは、音声信号Ａｉの音声開始時間Ｔｉ１と終了時間Ｔｉ２で囲まれた区間Ｔｉによって決まることになる。
【０３７０】
また、図３４（Ａ）に示すような音声信号Ａｉを、図３４（Ｂ）に示すように絶対値化し、更に図３４（Ｃ）に示すように平滑化すると、前記音声開始時間Ｔｉ１と終了時間Ｔｉ２で囲まれた区間Ｔｉは、しきい値電圧Ｅ１の値によって決まることになる。具体的にはしきい値電圧Ｅ１の値が大きくなる程、区間Ｔｉは短くなり、しきい値電圧Ｅ１の値が大きくなる程、区間Ｔｉは短くなる。
【０３７１】
ここで、光ディスクの記録許容容量をＣｄとすると、この光ディスクに記録できる条件は、
【０３７２】
【数２２】
Ｃν≦Ｃｄ … （２２）
で与えられる。従って、仮に映像データの総量Ｃνが（２２）式を満たさない場合には、前記しきい値電圧Ｅ１の値を大きくすることにより、区間Ｔｉを短くすれば良い。
【０３７３】
そこで、本実施形態においては、しきい値電圧Ｅ１を、次式のようにステップ変化電圧Ｅｄで表し、ステップ状に値を変化させることができるように構成した。
【０３７４】
【数２３】
0003783467.tif 000009
【０３７５】
ここで、Ｅ０は初期値であり、ｋはステップ変化電圧Ｅｄを加えた回数である。
【０３７６】
以下、このような原理に基づく本実施形態の情報作成装置における情報作成処理を図３１及び図３２のフローチャート、並びに図３４に示すタイミングチャートに基づいて説明する。
まず、符号化制御部８９は、変数ｉの初期値を１、前記ステップ変化電圧Ｅｄを加えた回数ｋの初期値を０、前記しきい値の初期値Ｅ０を０に設定する（ステップＳ１４０）。
【０３７７】
次に、符号化制御部８９は、（２３）式に示すステップ変化電圧Ｅｄの電圧を設定する。本実施形態では一例としてＥｄ＝０．１［Ｖ］とする（ステップＳ１４１）。
【０３７８】
次に、符号化制御部８９は、前記しきい値の初期値Ｅ０、ステップ変化電圧Ｅｄ、及び回数ｋを比較手段９０に出力する（ステップＳ１４２）。
【０３７９】
比較手段９０は、（２３）式に従って、しきい値電圧Ｅ１を算出する（ステップＳ１４３）。
【０３８０】
次に、符号化制御部８９は、映像信号再生装置４０に対して再生制御信号Ｓ１を出力し、全ての映像信号Ｖｉを再生させる（ステップＳ１４４）。
【０３８１】
これにより、映像信号再生装置４０からは、映像信号Ｖｉが出力されるので、比較手段９０は、音声信号Ａｉと前記しきい値Ｅ１との比較を行う（ステップＳ１４５）。比較を行う際には、図３４（Ａ）に示すような音声信号Ａｉを、図３４（Ｂ）に示すように絶対値化し、更に図３４（Ｃ）に示すように平滑化する。図３４に示す例では、時刻Ｔｉ１にて音声信号Ａｉがしきい電圧Ｅ１よりも大きくなるので、比較手段９０は、このタイミングでトリガ信号ＴＧ１を図３４（Ｄ）に示すようにローレベルからハイレベルに変化させる（ステップＳ１４６）。
次に、このトリガ信号ＴＧ１を入力した符号化制御部８９は、トリガ信号ＴＧ１がローレベルからハイレベルに変化した時のタイムコードを、タイムコード検出手段６８から読み取り、Ｔｉ’１として補助記憶装置６６により記録媒体６７に記憶させる（ステップＳ１４７）。
【０３８２】
次に、比較手段９０は、音声信号Ａｉとしきい値電圧Ｅ１との比較を行い（ステップＳ１４８）、音声信号Ａｉが、しきい値電圧Ｅ１よりも小さくなった時に、トリガ信号ＴＧ１を図３４（Ｄ）に示すようにハイレベルからローレベルに変化させる（ステップＳ１４９）。
【０３８３】
そして、図３２のフローチャートに示すように、このトリガ信号ＴＧ１を入力した符号化制御部８９は、トリガ信号ＴＧ１がハイレベルからローレベルに変化した時のタイムコード、タイムコード検出手段６８から読み取り、Ｔｉ’２として補助記憶装置６６により記録媒体６７に記憶させる（ステップＳ１５０）。
【０３８４】
次に、符号制御部８９は、変数ｉをインクリメントし、比較手段９０へ初期値Ｅ０、ステップ変化電圧Ｅｄ、及びステップ変化の回数ｋと共に、比較手段９０に出力し、以下の処理を繰り返す（ステップＳ１４２〜Ｓ１５２）。
【０３８５】
その結果、全ての映像信号について、タイムコードＴｉ’１、Ｔｉ’２が求められることになる。
【０３８６】
次に、符号化制御部８９は、補助記憶装置６６により記録媒体６７に記憶させたタイムコードＴｉ’１、Ｔｉ’２から、（１８）式と同様の演算により、音声区間Ｔｉ’を求める。そして、符号化速度ＥｒとタイムコードＴｉ’を用い、（１９）式に基づいて、データ総量Ｃν’を演算する（ステップＳ１５４）。
【０３８７】
そして、符号化制御部８９は、このデータ総量Ｃν’とディスク許容容量Ｃｄとを比較し（ステップＳ１５５）、データ総量Ｃν’の方がディスク許容容量Ｃｄよりも大きい場合には（ステップＳ１５５：ＮＯ）、回数ｋをインクリメントして（ステップＳ１５６）、ステップＳ１４２からの処理を繰り返す。
【０３８８】
この場合、しきい値電圧Ｅ１は、図３４（Ｃ）に示すように、ステップ変化電圧Ｅｄ分だけ大きくなり、トリガ信号ＴＧ１がハイレベルになる期間は、図３４（Ｅ）に示すように短くなる。つまり、音声信号区間が図３４（Ｄ）に示すように長い場合には、映像データＣｉも、図３４（Ｆ）に示すように長くなるが、音楽信号区間が図３４（Ｅ）に示すように短くなった場合には、図３４（Ｇ）に示すように、映像データＣｉも短くなる。
【０３８９】
以上のような処理を繰り返し、データ総量Ｃν’がディスク許容容量Ｃｄ以下となった場合には（ステップＳ１５５）、符号化制御部８９は、映像信号再生装置４０に対して、全ての映像信号Ｖｉを再生するように再生制御信号Ｓ１を出力する。
【０３９０】
これにより、全ての映像信号Ｖｉが出力され、符号化装置４１において符号化が行われる。この符号化は、符号制御部８９から出力された、タイムコードＴｉ１に基づいて符号化を行う（ステップＳ１５９）。
【０３９１】
また、符号化制御部８９は、全ての映像データＣｉ（Ｔｉ１−Ｔｉ２）を、映像データ記憶装置４２により記録媒体に記憶させる（ステップＳ１５９）。ディスク作成装置４５は、映像データ記憶装置４２に記憶された全ての映像データＣｉを読み出し、光ディスクへ書き込む（ステップＳ１６０）。
【０３９２】
以上のように、本実施形態によれば、適切な符号化区間Ｔｉにより符号化を行うことができるので、映像データを確実に光ディスクに記録することができる。
【０３９３】
（第１１の実施形態）
次に、本発明の第１１の実施形態を図３５及び図３６に基づいて説明する。なお、上述した実施形態との共通箇所には同一符号を付して説明を省略する。
【０３９４】
本実施形態は、上述のようにカット処理を行った箇所に、カット処理を行ったことを示す映像を重畳する処理を行うものである。
【０３９５】
図３５は本実施形態の情報作成装置の構成を示すブロック図である。図３５に示すように、本実施形態の情報作成装置は、映像信号再生装置４０と、符号化装置４１と、映像データ記憶装置４２と、記録媒体４３と、映像ディスク作成装置４３と、復調装置６４と、符号化点設定手段４９と、符号化装置設定手段５０と、映像信号の開始点と終了点の検出手段４４と、映像信号の切り出し情報の記憶装置４５と、記録媒体４６と、映像データの総量の算出手段４７と、符号化速度設定手段４８と、フレーム同期信号抽出手段９１と、ゲート信号生成手段９２と、マーカー信号発生装置９３と、信号ミクサ９４とを備えている。
【０３９６】
フレーム同期信号抽出手段９１は、図３６（Ａ）に示すようなフレーム画像に同期した、図３６（Ｃ）に示すフレーム同期信号ＳＹ１を抽出する手段である。
【０３９７】
ゲート信号生成手段９２は、フレーム同期信号ＳＹ１のハイレベルからローレベルへの変化に同期して、ゲート信号ＴＧ３をローレベルからハイレベル、またはハイレベルからローレベルに変化させる手段である。
【０３９８】
マーカー信号発生装置９３は、ゲート信号ＴＧ３のローレベルからハイレベルへの、またはハイレベルからローレベルへの変化に対応してハイレベルからローレベルに変化するマーカー信号Ｍｉを発生させる装置である。
【０３９９】
信号ミクサ９４は、映像信号Ｖｉに、前記マーカー信号Ｍｉを重畳させる手段である。
【０４００】
以上のように構成される本実施形態の情報作成装置における情報作成処理を図３６のタイミングチャートに基づいて説明する。
【０４０１】
まず、映像信号再生装置４０から、図３６（Ａ）に示すような映像信号Ｖｉが出力されると、フレーム同期信号抽出手段９１は、この映像信号得Ｖｉからフレーム同期信号ＳＹ１を抽出する。
【０４０２】
次に、ゲート信号生成手段９２は、映像信号再生装置４０から出力される図３６（Ｄ）に示すような映像開始タイムコードａと映像終了タイムコードｂを入力し、映像開始タイムコードａからａ＋１の時間を、また映像終了タイムコードｂからｂ−１の時間算出し、フレーム同期信号抽出手段９１から出力されるフレーム同期信号ＳＹ１に同期させて、図３６（Ｅ）に示すようなゲート信号ＴＧ３を生成する。
【０４０３】
次に、マーカー信号発生装置９３は、図３６（Ｇ）に示すようなカット位置を示すためのマーカー信号Ｍｉをゲート信号ＴＧ３に同期して発生させる。トリガー信号ＴＧ３がフレーム同期信号ＳＹ１に同期しているので、マーカー信号Ｍｉは映像信号Ｖｉに同期しているのは明らかである。
【０４０４】
そして、信号ミクサ９４により、マーカー信号Ｍｉと、映像信号Ｖｉが合成され、新たな映像信号Ｖｉ＋Ｍｉが作成される。その結果、図３６（Ｈ）に示すように、符号化開始時間のａ、ａ＋１、及びｂ−１、ｂのタイムコードで参照される映像信号Ｖｉの映像フレームに、マーカー信号Ｍｉの映像フレームが重畳されるので、復調後に再生した映像には、図３６（Ｉ）に示すようにマーカー信号が元の画像上に表示されることになる。
【０４０５】
符号化開始時間のａ、ａ＋１、及びｂ−１、ｂは、第６の実施形態で算出したカット処理の行われた時間であり、本実施形態においては、カット処理の行われた箇所にマーカー信号を表示させることができる。
【０４０６】
以上のように、本実施形態によれば、自動的にカット編集点を表示することができるので、カット編集後に新たな編集作業を行う手間が省け、効率的に光ディスクの作成作業を行うことができる。
【０４０７】
（第１２の実施形態）
次に、本発明の第１２の実施形態を図３７ないし図４０に基づいて説明する。なお、上述した実施形態との共通箇所には同一符号を付して説明を省略する。
【０４０８】
本実施形態は、上述した各実施形態により作成した光ディスクの一部に修正を加える処理を行うものである。
【０４０９】
図３７は、本実施形態における情報作成装置の構成を示す図である。図３７に示すように、本実施形態の情報作成装置には、光ディスク読込み装置９が備えられているところが、上述した各実施形態と異なるところである。また、情報作成装置本体１の図示しないハードディスクには、本実施形態に係る情報作成プログラムがインストールされている。
【０４１０】
光ディスク読込み装置９は、単なる光ディスクの再生プレーヤーではなく、光ディスクに書き込まれた情報をそのままディスクイメージとして情報作成装置本体１に読み込ませることのできる装置である。
【０４１１】
以下、本実施形態における修正処理を図３８のイメージフローチャート及び図４０のフローチャートに基づいて説明する。
【０４１２】
本実施形態の情報作成装置を用いて修正を行う場合には、図３８のステップＳ２００に示すように、まず、修正に用いる新たなビデオ映像を記録したビデオテープ３６をＶＣＲ５にセットしておく。
【０４１３】
また、図３８のステップＳ２０１に示すように、修正前の光ディスク５２１は、光ディスク読込み装置９にセットしておく。
【０４１４】
そして、光ディスクの制作者がキーボード３またはマウス４等を操作することにより、修正する作品を選択する（ステップＳ１７０）。
【０４１５】
次に、選択された作品の素材リストファイルが読み込まれ（ステップＳ１７１）、同時に図３８のステップＳ２０２に示すようなメニュー構成図ファイル３００の読み込みが行われる（ステップＳ１７２）。なお、このメニュー構成図ファイル３００は、素材リストファイルの作成時に、同時に作成し、情報作成装置のハードディスク１００内に記憶させておくものとする。具体的には、メニュー情報データにおける各ボタン名を、ファイル名としたファイルを作成し、情報作成装置のハードディスク１００にインストールされたオペレーティングシステムのファイル管理機能を利用すれば良い。
【０４１６】
次に、ステップＳ２０２に示すように、情報作成装置のディスプレイ２上に、メニュー構成図ファイル３００を表示させ、このメニュー構成図ファイル３００の中から、修正したい箇所をマウス４によるクリック等により選択させる。
【０４１７】
次に、以上のように修正個所が選択されると、光ディスク読込み装置９を制御して、ディスク情報ファイル５０２を光ディスク５２１から読み込む（ステップＳ１７３）。
【０４１８】
次に、光ディスク読込み装置９を制御して、ビデオファイル管理情報５０４を光ディスク５２１から読み込む（ステップＳ１７４）。
【０４１９】
読み込んだディスク情報ファイル５０２及びビデオファイル管理情報５０４は、図３８のステップＳ２０３に示すように、メニュー情報データ３０１の形式でディスプレイ２に表示させる。
【０４２０】
ディスク情報ファイル５０２及びビデオファイル管理情報５０４は、修正の如何に拘わらず、そのまま光ディスクから読み出して、使用することができる。
【０４２１】
次に、映像等のビデオファイルデータ５０５については、修正素材か否かを判定し（ステップＳ１７５）、修正素材でない箇所については、光ディスク読込み装置９を制御して光ディスク５２１から読み出す（ステップＳ１８３）。
【０４２２】
一方、修正素材の箇所である場合には、光ディスク５２１からの読み出しは行わず、ＶＣＲ５を制御して、図３８のステップＳ２００に示す新しい映像素材Ｂを再生させる（ステップＳ１７６）。
【０４２３】
次に、当該映像素材Ｂの新たなデジタル化を行い（ステップＳ１７７）、映像素材のタイムコードを入力しながら（ステップＳ１７８）、一定時間に達するまでデジタル化処理を繰り返す（ステップＳ１７９）。
【０４２４】
次に、一定時間になった場合には、ＶＣＲ５を停止させ（ステップＳ１８０）、修正素材のデジタル化を終了する（ステップＳ１８１）。
【０４２５】
以上のような処理を行って、各データを再結合し、ディスクイメージデータを作成する（ステップＳ１８２）。
【０４２６】
次に、未だ修正個所が残っているか否かを判定し（ステップＳ１８４）、残っている場合には、光ディスク５２１からの読み込み処理（ステップＳ１７４）からの上述した処理を繰り返す。
【０４２７】
そして、全ての修正個所について処理が終了した場合には、光ディスク書込み装置６を制御して、修正後の光ディスク５２２を作成する（ステップＳ１８５、図３８のステップＳ２０４）。
【０４２８】
以上のように、本実施形態によれば、例えば図３９に示すように、修正したい素材のみを簡単に新たな映像素材と入れ替えることができ、極めて効率的に修正処理を行うことができる。
【０４２９】
（第１３の実施形態）
次に、本発明の第１３の実施形態を図４１ないし図４３に基づいて説明する。なお、上述した実施形態との共通箇所には同一符号を付して説明を省略する。
【０４３０】
本実施形態は、図４１または図４３に示す情報作成装置のハードディスク１００内に、光ディスク作成時に読み込んだ情報・素材データの格納領域が形成されており、修正したいビデオ映像のデジタル化されたファイルが当該格納領域に残っている場合に、修正処理を行うものである。
【０４３１】
従って、本実施形態においては、図４２のフローチャートに示すように、ハードディスクから修正個所に係る正常な素材データを読み込む処理（ステップＳ１９０）を行うだけで、ディスクイメージデータを再結合により作成することができる（ステップＳ１８２）。その他の処理については、図４０に示す第１２の実施形態と同様であり、説明を省略する。
【０４３２】
以上のように、本実施形態によれば、修正したい素材のみを、より一層迅速に新たな映像素材と入れ替えることができ、極めて効率的に修正処理を行うことができる。
【０４３３】
（第１４の実施形態）
次に、本発明の第１４の実施形態を図４４ないし図４６に基づいて説明する。なお、上述した実施形態との共通箇所には同一符号を付して説明を省略する。
【０４３４】
本実施形態は、図４４または図４６のステップＳ２０１に示すように、情報作成装置のハードディスク１００内に、光ディスクに書き込み前のディスクイメージ１０２が残っている場合に、修正処理を行うものである。
【０４３５】
本実施形態の情報作成装置を用いて修正を行う場合には、図４６のステップＳ２００に示すように、まず、修正に用いる新たなビデオ映像を記録したビデオテープ３６をＶＣＲ５にセットしておく。
【０４３６】
そして、本実施形態においては、図４５のフローチャートに示すように、ディスク情報ファイル５０２をディスクイメージデータ１０２から読み込む（ステップＳ１９１）と共に、ビデオファイル管理情報をディスクイメージデータ１０２から読み込む（ステップＳ１９２）。そして、ビデオファイルデータ５０５は、修正素材については、第１２の実施形態と同様に、ＶＣＲ５を制御してビデオテープから読み込む（ステップＳ１７６）。しかし、修正素材以外のビデオファイルデータ５０５については、ディスクイメージデータ１０２から読み込む（ステップＳ１９３）。
【０４３７】
そして、上述した各実施形態と同様に、ディスクイメージデータを再結合により作成することができる（ステップＳ１８２）。その他の処理については、図４０に示す第１２の実施形態と同様であり、説明を省略する。
【０４３８】
以上のように、本実施形態によれば、修正したい素材のみを、より一層迅速に新たな映像素材と入れ替えることができ、極めて効率的に修正処理を行うことができる。
【０４３９】
（第１５の実施形態）
次に、本発明の第１５の実施形態を図４７ないし図４９に基づいて説明する。なお、上述した実施形態との共通箇所には同一符号を付して説明を省略する。
【０４４０】
本実施形態は、図４７または図４９のステップＳ２００に示す情報作成装置のハードディスク１００内に、光ディスク作成時に読み込んだ情報・素材データの格納領域が形成されており、且つ、図４７または図４９のステップＳ２０１に示すように、情報作成装置のハードディスク１００内に、光ディスクに書き込み前のディスクイメージ１０２が残っている場合に、修正処理を行うものである。
【０４４１】
従って、本実施形態においては、図４８のフローチャートに示すように、ディスク情報ファイル５０２をディスクイメージデータ１０２から読み込む（ステップＳ１９１）と共に、ビデオファイル管理情報をディスクイメージデータ１０２から読み込む（ステップＳ１９２）。そして、修正個所については、ハードディスク１００から正常な素材データを読み込む（ステップＳ１９０）。そして、ディスクイメージデータを再結合により作成することができる（ステップＳ１８２）。その他の処理については、図４０に示す第１２の実施形態と同様であり、説明を省略する。
【０４４２】
以上のように、本実施形態によれば、修正したい素材のみを、より一層迅速に新たな映像素材と入れ替えることができ、極めて効率的に修正処理を行うことができる。
【０４４３】
なお、本発明は、ＤＶＤに限らず、あらゆる種類のマルチメディア光ディスクに適用が可能である。また、所謂オーサリング装置に適用できるだけでなく、例えば家庭用のマルチメディア光ディスク記録再生装置等にも適用可能である。
【０４４４】
【発明の効果】
以上説明したように、請求項１に記載の情報作成装置、請求項１９に記載の情報作成方法、請求項２０に記載の情報記録媒体によれば、自動的にタイトル名またはタイトル画像を有するメニュー情報が作成されるので、マルチメディア光ディスク等の情報記録媒体の作成処理の効率化を図ることができる。また、自動的に素材リスト情報及びメニュー構成情報が表示されるので、映像素材が記録された媒体の内容を容易に把握することが可能となる。また、各素材リスト情報には、メニュー構成情報が対応付けられて保存されるので、マルチメディア光ディスク等の情報記録媒体の作成処理の効率化をより一層図ることができる。
請求項２に記載の情報作成装置によれば、映像素材が記録された媒体の識別情報を有する素材リスト情報が作成されるので、映像素材が記録された媒体の数が膨大になった場合でも当該媒体に対応する素材リストの迅速な検索が可能となり、マルチメディア光ディスク等の情報記録媒体の作成処理の効率化も図ることができる。
【０４４５】
請求項３に記載の情報作成装置によれば、映像素材毎に管理されたメニュー情報が自動的に作成されるので、マルチメディア光ディスク等の情報記録媒体の作成処理の効率化を図ることができる。
【０４４６】
請求項４記載の情報作成装置によれば、映像素材が一定時間毎に記録されていない場合であっても、映像素材毎に管理されたメニュー情報が自動的に作成されるので、マルチメディア光ディスク等の情報記録媒体の作成処理の効率化を図ることができる。更に、２回目以降の作成処理においてもディスクイメージを利用できるので、より一層効率化を図ることができる。
【０４４７】
【０４４８】
【０４４９】
【０４５０】
【０４５１】
請求項５に記載の情報出力装置によれば、実体情報及び管理情報が、マルチメディア光ディスク等の情報記録媒体の論理フォーマットに従って出力されるので、マルチメディア光ディスク等の情報記録媒体を容易且つ適切に作成することができる。
【０４５２】
請求項６に記載の情報出力装置によれば、実体情報及び管理情報が、ディスクイメージの段階で既にマルチメディア光ディスク等の情報記録媒体の論理フォーマットに従って記録され、このディスクイメージが出力されるので、マルチメディア光ディスク等の情報記録媒体が容易且つ適切に作成されることになる。また、前記ディスクイメージが記録された記録媒体を用いれば、他の出力手段を用いても容易且つ適切に作成することができる。
【０４５３】
請求項７に記載の情報記録装置によれば、実体情報及び管理情報の記録されたマルチメディア光ディスク等の情報記録媒体を容易且つ適切に作成することができる。
【０４５４】
【０４５５】
請求項８に記載の情報作成装置によれば、前記素材リストにおける、映像素材が記録された媒体の識別情報に基づいて、マルチメディア光ディスク等の情報記録媒体が作成されるので、マルチメディア光ディスク等の情報記録媒体の論理フォーマット等の専門知識を有さない者が操作した場合でも、マルチメディア光ディスク等の情報記録媒体を効率的に且つ確実に作成することができる。
【０４５６】
請求項９に記載の情報作成装置によれば、複数の再生手段が自動的に切り替えられてマルチメディア光ディスク等の情報記録媒体が作成されるので、作成処理の効率化が図られる。また、マルチメディア光ディスク等の情報記録媒体の論理フォーマット等の専門知識を有さない者が操作した場合でも、マルチメディア光ディスク等の情報記録媒体を効率的に且つ確実に作成することができる。
【０４５７】
【０４５８】
【０４５９】
【０４６０】
請求項１０に記載の情報作成装置によれば、映像素材の主要部分以外を自動的にカットして、映像素材のデジタル化が行われるので、映像素材を確実にマルチメディア光ディスク等の情報記録媒体に記録することができる。
【０４６１】
請求項１１に記載の情報作成装置によれば、カット処理が行われた箇所に、マーカー表示が行われので、カット処理後の編集作業を容易に行うことができる。
【０４６２】
【０４６３】
請求項１２に記載の情報作成装置によれば、映像素材の開始及び終了位置、並びフレーム画像等が表示され、光ディスク等の情報記録媒体の制作者が、映像素材毎の符号化速度の設定を行うことができるので、当該制作者の意図に反することなく、映像素材を確実にマルチメディア光ディスク等の情報記録媒体に記録することができる。
【０４６４】
【０４６５】
請求項１３に記載の情報作成装置によれば、映像素材の非変化区間がカット処理候補として表示され、光ディスク等の情報記録媒体の制作者が、映像素材毎にカット処理を行うか否かの設定を行うことができるので、当該制作者の意図に反することなく、映像素材を確実にマルチメディア光ディスク等の情報記録媒体に記録することができる。
【０４６６】
【０４６７】
請求項１４に記載の情報作成装置によれば、音声情報の範囲から符号化の範囲が決定されるので、映像素材を確実にマルチメディア光ディスク等の情報記録媒体に記録することができる。
【０４６８】
【０４６９】
【０４７０】
【０４７１】
請求項１５に記載の情報記録装置によれば、メニュー情報に基づいて修正箇所を指定できるので、容易且つ効率的に映像素材の修正を行うことができる。
【０４７２】
請求項１６に記載の情報記録装置によれば、メニュー情報に基づいて修正箇所を指定できると共に、修正対象以外の実体情報については、記憶手段に格納されたものを読み取るので、より一層容易且つ効率的に映像素材の修正を行うことができる。
【０４７３】
請求項１７に記載の情報記録装置によれば、メニュー情報に基づいて修正箇所を指定できると共に、修正対象以外の実体情報については、記憶手段に格納されたものを読み取り、更に管理情報について記憶手段に格納されたものを読み取るので、より一層容易且つ効率的に映像素材の修正を行うことができる。
【０４７４】
請求項１８に記載の情報記録装置によれば、メニュー情報に基づいて修正箇所を指定できると共に、修正対象以外の実体情報については、記憶手段に格納されたものを読み取り、更に管理情報について記憶手段に格納されたものを読み取り、更に修正対象の実体情報についても記憶手段に格納されたものを読み取るので、より一層容易且つ効率的に映像素材の修正を行うことができる。
【図面の簡単な説明】
【図１】  本発明の第１の実施形態における情報作成装置の正面図である。
【図２】  図１の情報作成装置の概略構成を示すブロック図である。
【図３】  図１の情報作成装置に取り扱われる映像素材の構造を示す図である。
【図４】  図１の情報作成装置において作成されるメニュー情報を示す図である。
【図５】  図１の情報作成装置における情報作成処理のフローチャートである。
【図６】  本発明の第２の実施形態の情報作成装置に取り扱われる映像素材の構造を示す図である。
【図７】  図６の情報作成装置における情報作成処理のフローチャートである。
【図８】  本発明の第３の実施形態の情報作成装置及びこの情報作成装置により作成される素材リストを示す図である。
【図９】  図８の情報作成装置における情報作成処理のフローチャートである。
【図１０】  本発明の第４の実施形態の情報作成装置を示す図である。
【図１１】  図１０の情報作成装置において表示される指示内容を示す図である（その１）。
【図１２】  図１０の情報作成装置において表示される指示内容を示す図である（その２）。
【図１３】  図１０の情報作成装置における情報作成処理のフローチャートである。
【図１４】  本発明の第５の実施形態の情報作成装置を示す図である。
【図１５】  図１４の情報作成装置において表示される指示内容を示す図である。
【図１６】  図１４の情報作成装置における情報作成処理のフローチャートである。
【図１７】  本発明の第６の実施形態の情報作成装置を示す図である。
【図１８】  図１７の情報作成装置において実行されるビデオ信号のカット処理を説明する図であり、（Ａ）はビデオ信号の再生順序を示す図、（Ｂ）はビデオ映像Ｖ（ｉ）を示す図、（Ｃ）はビデオ映像Ｖ（１）を示す図、（Ｄ）はビデオ映像Ｖ（２）を示す図、（Ｅ）はビデオ映像Ｖ（ｎ）を示す図である。
【図１９】  本発明の第７の実施形態の情報作成装置を示す図である。
【図２０】  図１９の情報作成装置における情報作成処理のフローチャートである。
【図２１】  本発明の第８の実施形態の情報作成装置を示す図である。
【図２２】  図２１の情報作成装置における情報作成処理のフローチャートである（その１）。
【図２３】  図２１の情報作成装置における情報作成処理のフローチャートである（その２）。
【図２４】  図２１の情報作成装置において表示されるデータ設定シートを示す図である（その１）。
【図２５】  図２１の情報作成装置において表示されるデータ設定シートを示す図である（その２）。
【図２６】  図２１の情報作成装置において表示されるデータ設定シートを示す図である（その３）。
【図２７】  本発明の第８の実施形態の情報作成装置を示す図である。
【図２８】  図２７の情報作成装置における情報作成処理のフローチャートである（その１）。
【図２９】  図２７の情報作成装置における情報作成処理のフローチャートである（その２）。
【図３０】  本発明の第９の実施形態の情報作成装置を示す図である。
【図３１】  図３０の情報作成装置における情報作成処理のフローチャートである（その１）。
【図３２】  図３０の情報作成装置における情報作成処理のフローチャートである（その２）。
【図３３】  図３０の情報作成装置における情報作成処理のフローチャートである（その３）。
【図３４】  図３０の情報作成装置において入力され又は出力される信号のタイミングチャートである。
【図３５】  本発明の第１０の実施形態の情報作成装置を示す図である。
【図３６】  図３５の情報作成装置において入力され又は出力される信号のタイミングチャートである。
【図３７】  本発明の第１１の実施形態の情報作成装置を示す図である。
【図３８】  図３７の情報作成装置における情報作成処理のイメージを表すフローチャートである。
【図３９】  図３７の情報作成装置において修正処理が実行された場合のディスク上のイメージを示す図である。
【図４０】  図３７の情報作成装置における情報作成処理のフローチャートである。
【図４１】  本発明の第１２の実施形態の情報作成装置を示す図である。
【図４２】  図４１の情報作成装置における情報作成処理のフローチャートである。
【図４３】  図４１の情報作成装置において修正処理が実行された場合のディスク上のイメージを示す図である。
【図４４】  本発明の第１３の実施形態の情報作成装置を示す図である。
【図４５】  図４４の情報作成装置における情報作成処理のフローチャートである。
【図４６】  図４４の情報作成装置において修正処理が実行された場合のディスク上のイメージを示す図である。
【図４７】  本発明の第１４の実施形態の情報作成装置を示す図である。
【図４８】  図４７の情報作成装置における情報作成処理のフローチャートである。
【図４９】  図４７の情報作成装置において修正処理が実行された場合のディスク上のイメージを示す図である。
【図５０】  本発明の実施形態におけるマルチメディア光ディスクの論理フォーマットを示す図である。
【図５１】  図５０の論理フォーマットをビデオファイル管理テーブルについて更に詳細に示す図である。
【図５２】  図５０の論理フォーマットをタイトル管理情報について更に詳細に示す図である。
【図５３】  図５０の論理フォーマットをタイトル用プログラムチェーン情報テーブルについて更に詳細に示す図である。
【図５４】  図５０の論理フォーマットをメニュー用プログラムチェーン情報テーブルについて更に詳細に示す図である。
【図５５】  図５０の論理フォーマットをビデオファイルデータついて更に詳細に示す図である。
【符号の説明】
１…情報作成装置本体
２…ディスプレイ
３…キーボード
４…マウス
５…ビデオカセットレコーダ
６…光ディスク書込装置
７…バーコードリーダー
８…切替器
９…光ディスク読込み装置
１０…制御部
１１…デジタル変換部
１２…メニュー作成部
１３…情報出力部
１４…ディスク作成部
１５…レート制御部
１６…表示部
１７…入力操作部
１８…素材入力部
１９…光ディスク書込み部
４０…映像信号再生装置
４１…符号化装置
４２…映像データ記憶装置
４５…映像ディスク作成装置
６６…補助記憶装置
６８…タイムコード検出手段
９３…マーカー信号発生装置
１００…ハードディスク
５０２…ディスク情報ファイル
５０４…ビデオファイル管理情報
５０５…ビデオファイルデータ
５２０…マルチメディア光ディスク
８１０…セル再生時間
８１１…セルデータへのオフセット
８１２…セルの占める論理ブロック数
１００１…セル
【図１】
0003783467.tif 000010
【図２】
0003783467.tif 000011
【図３】
0003783467.tif 000012
【図４】
0003783467.tif 000013
【図５】
0003783467.tif 000014
【図６】
0003783467.tif 000015
【図７】
0003783467.tif 000016
【図８】
0003783467.tif 000017
【図９】
0003783467.tif 000018
【図１０】
0003783467.tif 000019
【図１１】
0003783467.tif 000020
【図１２】
0003783467.tif 000021
【図１３】
0003783467.tif 000022
【図１４】
0003783467.tif 000023
【図１５】
0003783467.tif 000024
【図１６】
0003783467.tif 000025
【図１７】
0003783467.tif 000026
【図１８】
0003783467.tif 000027
【図１９】
0003783467.tif 000028
【図２０】
0003783467.tif 000029
【図２１】
0003783467.tif 000030
【図２２】
0003783467.tif 000031
【図２３】
0003783467.tif 000032
【図２４】
0003783467.tif 000033
【図２５】
0003783467.tif 000034
【図２６】
0003783467.tif 000035
【図２７】
0003783467.tif 000036
【図２８】
0003783467.tif 000037
【図２９】
0003783467.tif 000038
【図３０】
0003783467.tif 000039
【図３１】
0003783467.tif 000040
【図３２】
0003783467.tif 000041
【図３３】
0003783467.tif 000042
【図３４】
0003783467.tif 000043
【図３５】
0003783467.tif 000044
【図３６】
0003783467.tif 000045
【図３７】
0003783467.tif 000046
【図３８】
0003783467.tif 000047
【図３９】
0003783467.tif 000048
【図４０】
0003783467.tif 000049
【図４１】
0003783467.tif 000050
【図４２】
0003783467.tif 000051
【図４３】
0003783467.tif 000052
【図４４】
0003783467.tif 000053
【図４５】
0003783467.tif 000054
【図４６】
0003783467.tif 000055
【図４７】
0003783467.tif 000056
【図４８】
0003783467.tif 000057
【図４９】
0003783467.tif 000058
【図５０】
0003783467.tif 000059
【図５１】
0003783467.tif 000060
【図５２】
0003783467.tif 000061
【図５３】
0003783467.tif 000062
【図５４】
0003783467.tif 000063
【図５５】
0003783467.tif 000064